(57)【要約】      （修正有）【課題】消耗品の管理装置、プログラム、管理方法及び生産方法を提供する。【解決手段】消耗品の消耗具合に関する目標条件を示す目標情報を取得する目標情報取得部と、当該消耗品の利用が開始されてからの利用具合を示す利用情報を取得する利用情報取得部と、当該消耗品の消耗具合を示す消耗情報を取得する消耗情報取得部と、目標情報取得部が取得した目標情報により示される目標条件と、利用情報取得部が取得した利用情報により示される各消耗品の利用具合と、消耗情報取得部が取得した消耗情報により示される各消耗品の消耗具合とに基づいて、各消耗品の利用の可否及び利用に関する優先具合の少なくとも一方を決定する決定部とを備える。【選択図】図１
2018160074.tif 000002
【特許請求の範囲】
【請求項１】
複数の消耗品の利用を管理する管理装置であって、
前記複数の消耗品のうち少なくとも１つの消耗品の消耗具合に関する目標条件を示す目標情報を取得する目標情報取得部と、
前記少なくとも１つの消耗品のそれぞれについて、当該消耗品の利用が開始されてからの利用具合を示す利用情報を取得する利用情報取得部と、
前記少なくとも１つの消耗品のそれぞれについて、当該消耗品の消耗具合を示す消耗情報を取得する消耗情報取得部と、
前記少なくとも１つの消耗品のそれぞれについて、（ｉ）前記目標情報取得部が取得した前記目標情報により示される目標条件と、（ｉｉ）前記利用情報取得部が取得した前記利用情報により示される各消耗品の利用具合と、（ｉｉｉ）前記消耗情報取得部が取得した前記消耗情報により示される各消耗品の消耗具合とに基づいて、各消耗品の（ｉ）利用の可否及び（ｉｉ）利用に関する優先具合の少なくとも一方を決定する決定部と、
を備え、
前記目標条件は、前記利用具合に関する条件を含む、
管理装置。
【請求項２】
前記目標条件は、特定の消耗品の利用具合と、当該特定の消耗品の消耗具合の目標となる値又範囲との対応関係を表し、
前記決定部は、
前記少なくとも１つの消耗品のそれぞれについて、
前記利用情報により示される各消耗品の利用具合、及び、前記目標情報により示される目標条件に基づいて、各消耗品の消耗具合の前記目標を決定し、
前記決定された目標、及び、前記消耗情報により示される各消耗品の消耗具合の差が小さくなるように、各消耗品の（ｉ）利用の可否及び（ｉｉ）利用に関する優先具合の少なくとも一方を決定する、
請求項１に記載の管理装置。
【請求項３】
前記利用具合は、（ｉ）特定の消耗品の利用が開始されてからの当該消耗品に対する補給又は再生の回数、（ｉｉ）特定の消耗品の利用が開始されてから、当該消耗品がユーザに利用された利用時間、及び、（ｉｉｉ）特定の消耗品の利用が開始された時点からの経過時間の少なくとも１つ、又は、前記回数、前記利用時間及び前記経過時間の少なくとも１つに基づいて定められる指標である、
請求項２に記載の管理装置。
【請求項４】
前記少なくとも１つの消耗品のそれぞれについて、当該消耗品の利用が開始されてからの利用履歴を示す履歴情報を取得する履歴情報取得部をさらに備え、
前記決定部は、
前記少なくとも１つの消耗品のそれぞれについて、
（ｉ）前記決定された目標、及び、前記消耗情報により示される各消耗品の消耗具合の差と、（ｉｉ）前記履歴情報取得部が取得した前記履歴情報により示される各消耗品の利用履歴とに基づいて、各消耗品の（ｉ）利用の可否及び（ｉｉ）利用に関する優先具合の少なくとも一方を決定する、
請求項２又は請求項３に記載の管理装置。
【請求項５】
前記複数の消耗品のそれぞれは蓄電池であり、
前記履歴情報は、充電状態の履歴を示す情報である、
請求項４に記載の管理装置。
【請求項６】
前記決定部は、
（ｉ）前記消耗情報により示される消耗具合が、前記決定された目標と比較して劣化の進行が速いことを示し、且つ、（ｉｉ）前記充電状態の履歴が予め定められた条件に合致する消耗品の優先具合が、他の消耗品の優先具合よりも大きくなるように、各消耗品の（ｉ）利用の可否及び（ｉｉ）利用に関する優先具合の少なくとも一方を決定する、
請求項５に記載の管理装置。
【請求項７】
前記決定部は、
（ｉ）前記消耗情報により示される消耗具合が、前記決定された目標と比較して劣化の進行が遅いことを示し、且つ、（ｉｉ）前記充電状態の履歴が予め定められた条件に合致する消耗品の優先具合が、他の消耗品の優先具合よりも小さくなるように、各消耗品の（ｉ）利用の可否及び（ｉｉ）利用に関する優先具合の少なくとも一方を決定する、
請求項５又は請求項６に記載の管理装置。
【請求項８】
前記決定部は、
（ｉ）前記消耗情報により示される消耗具合が、前記決定された目標と比較して劣化の進行が速いことを示し、且つ、（ｉｉ）前記充電状態の履歴が予め定められた条件に合致する消耗品の優先具合が、他の消耗品の優先具合よりも小さくなるように、各消耗品の（ｉ）利用の可否及び（ｉｉ）利用に関する優先具合の少なくとも一方を決定する、
請求項５に記載の管理装置。
【請求項９】
前記決定部は、
（ｉ）前記消耗情報により示される消耗具合が、前記決定された目標と比較して劣化の進行が遅いことを示し、且つ、（ｉｉ）前記充電状態の履歴が予め定められた条件に合致する消耗品の優先具合が、他の消耗品の優先具合よりも大きくなるように、各消耗品の（ｉ）利用の可否及び（ｉｉ）利用に関する優先具合の少なくとも一方を決定する、
請求項５又は請求項６に記載の管理装置。
【請求項１０】
前記決定部は、
前記少なくとも１つの消耗品のそれぞれについて、（ｉ）前記目標情報取得部が取得した前記目標情報により示される目標条件と、（ｉｉ）前記利用情報取得部が取得した前記利用情報により示される各消耗品の利用具合と、（ｉｉｉ）前記消耗情報取得部が取得した前記消耗情報により示される各消耗品の消耗具合とに基づいて、各消耗品が不良品であるか否かを判定し、
不良品であると判定された消耗品を、利用不能であると決定する、
請求項１から請求項９までの何れか一項に記載の管理装置。
【請求項１１】
前記決定部は、
前記少なくとも１つの消耗品のそれぞれについて、（ｉ）前記目標情報取得部が取得した前記目標情報により示される目標条件と、（ｉｉ）前記利用情報取得部が取得した前記利用情報により示される各消耗品の利用具合と、（ｉｉｉ）前記消耗情報取得部が取得した前記消耗情報により示される各消耗品の消耗具合とに基づいて、各消耗品の利用に関する優先具合を決定し、
当該優先具合が予め定められた条件に合致する消耗品を、利用不能であると決定する、
請求項１から請求項１０までの何れか一項に記載の管理装置。
【請求項１２】
前記目標情報取得部は、利用具合複数の目標条件の中から、前記利用情報により示される各消耗品の利用具合に合致する目標条件を示す目標情報を取得する、
請求項１から請求項１１までの何れか一項に記載の管理装置。
【請求項１３】
前記複数の消耗品のそれぞれを各消耗品の利用具合に応じて分類して得られた１以上のグループのそれぞれについて、各グループを構成する各消耗品の消耗具合の統計量に基づいて、各グループの目標条件を生成する、
目標条件生成部をさらに備える、
請求項１から請求項１２までの何れか一項に記載の管理装置。
【請求項１４】
前記決定部が決定した、前記少なくとも１つの消耗品の（ｉ）利用の可否及び（ｉｉ）優先具合の少なくとも一方に基づいて、前記複数の消耗品のうち、優先して利用されるべき１以上の消耗品を抽出する抽出部をさらに備える、
請求項１から請求項１３までの何れか一項に記載の管理装置。
【請求項１５】
コンピュータを、請求項１から請求項１４までの何れか一項に記載の管理装置として機能させるための、プログラム。
【請求項１６】
複数の消耗品の利用を管理する管理方法であって、
前記複数の消耗品のうち少なくとも１つの消耗品の消耗具合に関する目標条件を示す目標情報を取得する目標情報取得段階と、
前記少なくとも１つの消耗品のそれぞれについて、当該消耗品の利用が開始されてからの利用具合を示す利用情報を取得する利用情報取得段階と、
前記少なくとも１つの消耗品のそれぞれについて、当該消耗品の消耗具合を示す消耗情報を取得する消耗情報取得段階と、
前記少なくとも１つの消耗品のそれぞれについて、（ｉ）前記目標情報取得段階において取得された前記目標情報により示される目標条件と、（ｉｉ）前記利用情報取得段階において取得された前記利用情報により示される各消耗品の利用具合と、（ｉｉｉ）前記消耗情報取得段階において取得された前記消耗情報により示される各消耗品の消耗具合とに基づいて、各消耗品の（ｉ）利用の可否及び（ｉｉ）利用に関する優先具合の少なくとも一方を決定する決定段階と、
を有し、
前記目標条件は、前記利用具合に関する条件を含む、
管理方法。
【請求項１７】
複数の消耗品の再利用品又は中古品を生産するための生産方法であって、
前記複数の消耗品のうち少なくとも１つの消耗品の消耗具合に関する目標条件を示す目標情報を取得する目標情報取得段階と、
前記少なくとも１つの消耗品のそれぞれについて、当該消耗品の利用が開始されてからの利用具合を示す利用情報を取得する利用情報取得段階と、
前記少なくとも１つの消耗品のそれぞれについて、当該消耗品の消耗具合を示す消耗情報を取得する消耗情報取得段階と、
前記少なくとも１つの消耗品のそれぞれについて、（ｉ）前記目標情報取得段階において取得された前記目標情報により示される目標条件と、（ｉｉ）前記利用情報取得段階において取得された前記利用情報により示される各消耗品の利用具合と、（ｉｉｉ）前記消耗情報取得段階において取得された前記消耗情報により示される各消耗品の消耗具合とに基づいて、各消耗品の（ｉ）利用の可否及び（ｉｉ）利用に関する優先具合の少なくとも一方を決定する決定段階と、
前記決定段階において決定された、各消耗品の（ｉ）利用の可否及び（ｉｉ）優先具合の少なくとも一方に基づいて、前記複数の消耗品のうち、優先して利用されるべき１以上の消耗品を抽出する抽出段階と、
を有し、
前記目標条件は、前記利用具合に関する条件を含む、
を有する、生産装置。
【発明の詳細な説明】
【技術分野】
【０００１】
本発明は、管理装置、プログラム、管理方法及び生産方法に関する。
【背景技術】
【０００２】
例えば、電動バイク用の蓄電池を格納し、電動バイクのユーザに、充電が完了した蓄電池を提供する充電ステーションが知られている（例えば、特許文献１を参照されたい）。
［先行技術文献］
［特許文献］
［特許文献１］  特表２０１６−５２１３８９号公報
【発明の概要】
【発明が解決しようとする課題】
【０００３】
蓄電池は消耗品であり、使用による損傷、劣化などにより性能が低下する。そのため、性能の低下した蓄電池を充電ステーションから回収し、新たな蓄電池を充電ステーションに補充する必要がある。蓄電池の性能低下はランダムに発生するが、蓄電池の性能が基準値以下になるたびに蓄電池を回収していては、作業効率及び経済効率が悪い。一方、単純に、市場に導入されてからの経過年数に応じて回収すると、十分な性能を有する蓄電池まで回収してしまう可能性がある。
【課題を解決するための手段】
【０００４】
本発明の第１の態様においては、管理装置が提供される。上記の管理装置は、例えば、複数の消耗品の利用を管理する。上記の管理装置は、例えば、複数の消耗品のうち少なくとも１つの消耗品の消耗具合に関する目標条件を示す目標情報を取得する目標情報取得部を備える。上記の管理装置は、例えば、少なくとも１つの消耗品のそれぞれについて、当該消耗品の利用が開始されてからの利用具合を示す利用情報を取得する利用情報取得部を備える。上記の管理装置は、例えば、少なくとも１つの消耗品のそれぞれについて、当該消耗品の消耗具合を示す消耗情報を取得する消耗情報取得部を備える。上記の管理装置は、例えば、少なくとも１つの消耗品のそれぞれについて、（ｉ）目標情報取得部が取得した目標情報により示される目標条件と、（ｉｉ）利用情報取得部が取得した利用情報により示される各消耗品の利用具合と、（ｉｉｉ）消耗情報取得部が取得した消耗情報により示される各消耗品の消耗具合とに基づいて、各消耗品の（ｉ）利用の可否及び（ｉｉ）利用に関する優先具合の少なくとも一方を決定する決定部を備える。上記の管理装置において、目標条件は、利用具合に関する条件を含んでよい。
【０００５】
上記の管理装置において、目標条件は、特定の消耗品の利用具合と、当該特定の消耗品の消耗具合の目標となる値又範囲との対応関係を表してよい。上記の管理装置において、決定部は、少なくとも１つの消耗品のそれぞれについて、利用情報により示される各消耗品の利用具合、及び、目標情報により示される目標条件に基づいて、各消耗品の消耗具合の目標を決定してよい。上記の管理装置において、決定部は、少なくとも１つの消耗品のそれぞれについて、決定された目標、及び、消耗情報により示される各消耗品の消耗具合の差が小さくなるように、各消耗品の（ｉ）利用の可否及び（ｉｉ）利用に関する優先具合の少なくとも一方を決定してよい。上記の管理装置において、利用具合は、（ｉ）特定の消耗品の利用が開始されてからの当該消耗品に対する補給又は再生の回数、（ｉｉ）特定の消耗品の利用が開始されてから、当該消耗品がユーザに利用された利用時間、及び、（ｉｉｉ）特定の消耗品の利用が開始された時点からの経過時間の少なくとも１つ、又は、回数、利用時間及び経過時間の少なくとも１つに基づいて定められる指標であってよい。
【０００６】
上記の管理装置は、少なくとも１つの消耗品のそれぞれについて、当該消耗品の利用が開始されてからの利用履歴を示す履歴情報を取得する履歴情報取得部を備えてよい。上記の管理装置において、決定部は、少なくとも１つの消耗品のそれぞれについて、（ｉ）決定された目標、及び、消耗情報により示される各消耗品の消耗具合の差と、（ｉｉ）履歴情報取得部が取得した履歴情報により示される各消耗品の利用履歴とに基づいて、各消耗品の（ｉ）利用の可否及び（ｉｉ）利用に関する優先具合の少なくとも一方を決定してよい。上記の管理装置において、複数の消耗品のそれぞれは蓄電池であってよい。上記の管理装置において、履歴情報は、充電状態の履歴を示す情報であってよい。
【０００７】
上記の管理装置において、決定部は、（ｉ）消耗情報により示される消耗具合が、決定された目標と比較して劣化の進行が速いことを示し、且つ、（ｉｉ）充電状態の履歴が予め定められた条件に合致する消耗品の優先具合が、他の消耗品の優先具合よりも大きくなるように、各消耗品の（ｉ）利用の可否及び（ｉｉ）利用に関する優先具合の少なくとも一方を決定してよい。上記の管理装置において、決定部は、（ｉ）消耗情報により示される消耗具合が、決定された目標と比較して劣化の進行が遅いことを示し、且つ、（ｉｉ）充電状態の履歴が予め定められた条件に合致する消耗品の優先具合が、他の消耗品の優先具合よりも小さくなるように、各消耗品の（ｉ）利用の可否及び（ｉｉ）利用に関する優先具合の少なくとも一方を決定してよい。
【０００８】
上記の管理装置において、決定部は、（ｉ）消耗情報により示される消耗具合が、決定された目標と比較して劣化の進行が速いことを示し、且つ、（ｉｉ）充電状態の履歴が予め定められた条件に合致する消耗品の優先具合が、他の消耗品の優先具合よりも小さくなるように、各消耗品の（ｉ）利用の可否及び（ｉｉ）利用に関する優先具合の少なくとも一方を決定してよい。上記の管理装置において、決定部は、（ｉ）消耗情報により示される消耗具合が、決定された目標と比較して劣化の進行が遅いことを示し、且つ、（ｉｉ）充電状態の履歴が予め定められた条件に合致する消耗品の優先具合が、他の消耗品の優先具合よりも大きくなるように、各消耗品の（ｉ）利用の可否及び（ｉｉ）利用に関する優先具合の少なくとも一方を決定してよい。
【０００９】
上記の管理装置において、決定部は、少なくとも１つの消耗品のそれぞれについて、（ｉ）目標情報取得部が取得した目標情報により示される目標条件と、（ｉｉ）利用情報取得部が取得した利用情報により示される各消耗品の利用具合と、（ｉｉｉ）消耗情報取得部が取得した消耗情報により示される各消耗品の消耗具合とに基づいて、各消耗品が不良品であるか否かを判定してよい。上記の管理装置において、決定部は、不良品であると判定された消耗品を、利用不能であると決定してよい。
【００１０】
上記の管理装置において、決定部は、少なくとも１つの消耗品のそれぞれについて、（ｉ）目標情報取得部が取得した目標情報により示される目標条件と、（ｉｉ）利用情報取得部が取得した利用情報により示される各消耗品の利用具合と、（ｉｉｉ）消耗情報取得部が取得した消耗情報により示される各消耗品の消耗具合とに基づいて、各消耗品の利用に関する優先具合を決定してよい。上記の管理装置において、決定部は、優先具合が予め定められた条件に合致する消耗品を、利用不能であると決定してよい。
【００１１】
上記の管理装置において、目標情報取得部は、利用具合複数の目標条件の中から、利用情報により示される各消耗品の利用具合に合致する目標条件を示す目標情報を取得してよい。上記の管理装置は、複数の消耗品のそれぞれを各消耗品の利用具合に応じて分類して得られた１以上のグループのそれぞれについて、各グループを構成する各消耗品の消耗具合の統計量に基づいて、各グループの目標条件を生成する、目標条件生成部を備えてよい。上記の管理装置は、決定部が決定した、少なくとも１つの消耗品の（ｉ）利用の可否及び（ｉｉ）優先具合の少なくとも一方に基づいて、複数の消耗品のうち、優先して利用されるべき１以上の消耗品を抽出する抽出部を備えてよい。
【００１２】
本発明の第２の態様においては、プログラムが提供される。上記のプログラムを格納する非一時的コンピュータ可読媒体が提供されてもよい。上記のプログラムは、コンピュータを、上記の管理装置として機能させるためのプログラムであってよい。上記のプログラムは、コンピュータに、上記の管理装置における情報処理手順を実行させるためのプログラムであってよい。
【００１３】
本発明の第３の態様においては、管理方法が提供される。上記の管理方法は、複数の消耗品の利用を管理する方法であってよい。上記の管理方法は、コンピュータにより実行されてよい。上記の管理方法は、例えば、複数の消耗品のうち少なくとも１つの消耗品の消耗具合に関する目標条件を示す目標情報を取得する目標情報取得段階を有する。上記の管理方法は、例えば、少なくとも１つの消耗品のそれぞれについて、当該消耗品の利用が開始されてからの利用具合を示す利用情報を取得する利用情報取得段階を有する。上記の管理方法は、例えば、少なくとも１つの消耗品のそれぞれについて、当該消耗品の消耗具合を示す消耗情報を取得する消耗情報取得段階を有する。上記の管理方法は、例えば、少なくとも１つの消耗品のそれぞれについて、（ｉ）目標情報取得段階において取得された目標情報により示される目標条件と、（ｉｉ）利用情報取得段階において取得された利用情報により示される各消耗品の利用具合と、（ｉｉｉ）消耗情報取得段階において取得された消耗情報により示される各消耗品の消耗具合とに基づいて、各消耗品の（ｉ）利用の可否及び（ｉｉ）利用に関する優先具合の少なくとも一方を決定する決定段階を有する。上記の管理方法において、目標条件は、利用具合に関する条件を含んでよい。
【００１４】
本発明の第４の態様においては、消耗品の再利用品又は中古品の生産方法が提供される。上記の生産方法は、複数の消耗品の再利用品又は中古品を生産するための方法であってよい。上記の生産方法は、コンピュータにより実行されてよい。上記の生産方法は、例えば、複数の消耗品のうち少なくとも１つの消耗品の消耗具合に関する目標条件を示す目標情報を取得する目標情報取得段階を有する。上記の生産方法は、例えば、少なくとも１つの消耗品のそれぞれについて、当該消耗品の利用が開始されてからの利用具合を示す利用情報を取得する利用情報取得段階を有する。上記の生産方法は、例えば、少なくとも１つの消耗品のそれぞれについて、当該消耗品の消耗具合を示す消耗情報を取得する消耗情報取得段階を有する。上記の生産方法は、例えば、少なくとも１つの消耗品のそれぞれについて、（ｉ）目標情報取得段階において取得された目標情報により示される目標条件と、（ｉｉ）利用情報取得段階において取得された利用情報により示される各消耗品の利用具合と、（ｉｉｉ）消耗情報取得段階において取得された消耗情報により示される各消耗品の消耗具合とに基づいて、各消耗品の（ｉ）利用の可否及び（ｉｉ）利用に関する優先具合の少なくとも一方を決定する決定段階を有する。上記の生産方法は、例えば、決定段階において決定された、各消耗品の（ｉ）利用の可否及び（ｉｉ）優先具合の少なくとも一方に基づいて、複数の消耗品のうち、優先して利用されるべき１以上の消耗品を抽出する抽出段階を有する。上記の生産方法において、目標条件は、利用具合に関する条件を含んでよい。
【００１５】
なお、上記の発明の概要は、本発明の必要な特徴の全てを列挙したものではない。また、これらの特徴群のサブコンビネーションもまた、発明となりうる。
【図面の簡単な説明】
【００１６】
【図１】管理装置１００のシステム構成の一例を概略的に示す。
【図２】バッテリ管理システム２００のシステム構成の一例を概略的に示す。
【図３】バッテリステーション２１０の内部構成の一例を概略的に示す。
【図４】貸出管理部３５６の内部構成の一例を概略的に示す。
【図５】管理サーバ２２０のシステム構成の一例を概略的に示す。
【図６】バッテリ管理部５２０の内部構成の一例を概略的に示す。
【図７】バッテリ管理システム２００による管理方法の一例を概略的に示す。
【図８】バッテリ管理システム２００による管理方法の一例を概略的に示す。
【図９】バッテリ管理システム２００による管理方法の一例を概略的に示す。
【図１０】データテーブル１０００の一例を概略的に示す。
【図１１】データテーブル１１００の一例を概略的に示す。
【発明を実施するための形態】
【００１７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００１８】
［管理装置１００の概要］
図１は、管理装置１００のシステム構成の一例を概略的に示す。本実施形態において、管理装置１００は、例えば、１又は複数の消耗品の利用を管理する。消耗品は、当該消耗品が利用される程度（利用具合と称する場合がある。）に応じて、例えば、質、量、価値及び機能の少なくとも１つが減損する。消耗品の種類によっては、消耗品に有体物又は無体物を補給したり、消耗品の少なくとも一部を再生したりすることにより、その質、量、価値及び機能の少なくとも１つが回復する。例えば、消耗品が蓄電池である場合、蓄電池を充電することにより、蓄電池の機能が回復する。消耗品としては、蓄電池、コネクタ端子などを例示することができる。
【００１９】
［管理装置１００の各部の概要］
本実施形態において、管理装置１００は、例えば、目標情報取得部１１０を備える。目標情報取得部１１０は、例えば、消耗品の消耗の程度（消耗具合と称する場合がある。）に関する各種の条件（目標条件と称する場合がある。）を示す情報（目標情報と称する場合がある。）を取得する。目標情報取得部１１０は、複数の消耗品のうち少なくとも１つの消耗品について、目標情報を取得してよい。目標条件は、利用具合に関する条件を含んでよい。
【００２０】
本実施形態において、管理装置１００は、例えば、利用情報取得部１２０を備える。利用情報取得部１２０は、例えば、消耗品の利用が開始されてからの利用具合を示す情報（利用情報と称する場合がある。）を取得する。利用情報取得部１２０は、少なくとも１つの消耗品のそれぞれについて、利用情報を取得してよい。本実施形態において、管理装置１００は、例えば、消耗情報取得部１３０を備える。消耗情報取得部１３０は、消耗品の消耗具合を示す情報（消耗情報と称する場合がある。）を取得する。消耗情報取得部１３０は、少なくとも１つの消耗品のそれぞれについて、消耗情報を取得してよい。
【００２１】
本実施形態において、管理装置１００は、例えば、決定部１４０を備える。決定部１４０は、例えば、消耗品の（ｉ）利用の可否及び（ｉｉ）利用に関する優先具合の少なくとも一方を決定する。決定部１４０は、（ｉ）目標情報取得部１１０が取得した目標情報により示される目標条件と、（ｉｉ）利用情報取得部１２０が取得した利用情報により示される各消耗品の利用具合と、（ｉｉｉ）消耗情報取得部１３０が取得した消耗情報により示される各消耗品の消耗具合とに基づいて、消耗品の（ｉ）利用の可否及び（ｉｉ）利用に関する優先具合の少なくとも一方を決定してもよい。決定部１４０は、少なくとも１つの消耗品のそれぞれについて、（ｉ）利用の可否及び（ｉｉ）利用に関する優先具合の少なくとも一方を決定してよい。
【００２２】
消耗品の利用の可否としては、（ｉ）当該消耗品の利用が許可されるか否か、（ｉｉ）当該消耗品の利用が禁止されるか否か、（ｉｉｉ）当該消耗品が利用可能であるか否か、及び、（ｉｖ）当該消耗品が利用不能であるか否かなどを例示することができる。特定の消耗品の利用が禁止される場合、又は、特定の消耗品が利用不能である場合の例としては、当該特定の消耗品が不良品である場合、当該特定の消耗品よりも他の消耗品が優先的に利用されるべき場合などを例示することができる。
【００２３】
［管理装置１００の動作の概要］
管理装置１００は、例えば下記の手順により、複数の消耗品の利用を管理する。本実施形態によれば、まず、目標情報取得部１１０が、複数の消耗品のうち少なくとも１つの消耗品の消耗具合に関する目標条件を示す目標情報を取得する。ここで、目標条件は、利用具合に関する条件を含んでよい。利用情報取得部１２０が、少なくとも１つの消耗品のそれぞれについて、当該消耗品の利用が開始されてからの利用具合を示す利用情報を取得する。また、消耗情報取得部１３０が、少なくとも１つの消耗品のそれぞれについて、当該消耗品の消耗具合を示す消耗情報を取得する。
【００２４】
次に、決定部１４０が、目標情報取得部１１０から目標情報を取得する。決定部１４０は、利用情報取得部１２０から利用情報を取得してよい。決定部１４０は、消耗情報取得部１３０から消耗情報を取得してもよい。その後、決定部１４０は、少なくとも１つの消耗品のそれぞれについて、（ｉ）目標情報により示される目標条件と、（ｉｉ）利用情報により示される各消耗品の利用具合と、（ｉｉｉ）消耗情報により示される各消耗品の消耗具合とに基づいて、各消耗品の（ｉ）利用の可否及び（ｉｉ）利用に関する優先具合の少なくとも一方を決定する。
【００２５】
本実施形態によれば、管理装置１００は、複数の消耗品の消耗具合を管理することができる。例えば、管理装置１００は、各消耗品の利用が開始された時期（導入時期と称する場合がある。）に基づいて、複数の消耗品を複数のグループに分類して管理する。この場合において、管理装置１００は、各グループを構成する１以上の消耗品の消耗具合のばらつき、分散又は標準偏差を管理することができる。例えば、管理装置１００は、時間の経過とともに、各グループを構成する１以上の消耗品の消耗具合のばらつき、分散又は標準偏差が大きくなることを抑制することができる。
【００２６】
より具体的には、管理装置１００は、決定部１４０が決定した（ｉ）利用の可否及び（ｉｉ）優先具合の少なくとも一方に基づいて、複数の消耗品の中から、優先して利用されるべき１以上の消耗品を抽出する。そして、管理装置１００は、抽出された消耗品が優先的に利用されるように、複数の消耗品の利用を管理する。
【００２７】
本実施形態によれば、例えば、特定の時又は期間に導入された複数の消耗品の消耗具合のばらつき、分散又は標準偏差を抑制することができる。その結果、特定の時又は期間に導入された複数の消耗品の多くを、同時期に回収することができる。また、特定の時又は期間に導入された複数の消耗品の第１の部分を、予め定められた第１の時期に回収し、上記の複数の消耗品の第２の部分を、予め定められた第２の時期に回収することができる。
【００２８】
これにより、例えば、性能が低下した消耗品の回収作業の作業効率が向上する。消耗品をまとめて購入することができるので、新たな消耗品の補充作業の経済効率が向上する。また、十分な性能を有しながら回収される消耗品の割合を低下させることができる。加えて、本実施形態によれば、例えば、複数の消耗品の再利用品又は中古品を生産することができる。これらの再利用品又は中古品は、比較的性能が均一であり、利用価値が高い。
【００２９】
［管理装置１００の各部の具体的な構成］
管理装置１００の各部は、ハードウェアにより実現されてもよく、ソフトウエアにより実現されてもよく、ハードウェア及びソフトウエアにより実現されてもよい。管理装置１００の各部は、その少なくとも一部が、単一のサーバによって実現されてもよく、複数のサーバによって実現されてもよい。管理装置１００の各部は、その少なくとも一部が、仮想サーバ上又はクラウドシステム上で実現されてもよい。管理装置１００の各部は、その少なくとも一部が、パーソナルコンピュータ又は携帯端末によって実現されてもよい。携帯端末としては、携帯電話、スマートフォン、ＰＤＡ、タブレット、ノートブック・コンピュータ又はラップトップ・コンピュータ、ウエアラブル・コンピュータなどを例示することができる。バッテリ管理システム２００の各部は、ブロックチェーンなどの分散型台帳技術又は分散型ネットワークを利用して、情報を格納してもよい。
【００３０】
管理装置１００を構成する構成要素の少なくとも一部がソフトウエアにより実現される場合、当該ソフトウエアにより実現される構成要素は、一般的な構成の情報処理装置において、当該構成要素に関する動作を規定したソフトウエア又はプログラムを起動することにより実現されてよい。上記の一般的な構成の情報処理装置は、（ｉ）ＣＰＵ、ＧＰＵなどのプロセッサ、ＲＯＭ、ＲＡＭ、通信インタフェースなどを有するデータ処理装置と、（ｉｉ）キーボード、ポインティングデバイス、タッチパネル、カメラ、音声入力装置、ジェスチャ入力装置、各種センサ、ＧＰＳ受信機などの入力装置と、（ｉｉｉ）表示装置、音声出力装置、振動装置などの出力装置と、（ｉｖ）メモリ、ＨＤＤ、ＳＳＤなどの記憶装置（外部記憶装置を含む。）とを備えてよい。
【００３１】
上記の一般的な構成の情報処理装置において、上記のデータ処理装置又は記憶装置は、上記のソフトウエア又はプログラムを記憶してよい。上記のソフトウエア又はプログラムは、プロセッサによって実行されることにより、上記の情報処理装置に、当該ソフトウエア又はプログラムによって規定された動作を実行させる。上記のソフトウエア又はプログラムは、非一時的なコンピュータ可読記録媒体に格納されていてもよい。上記のソフトウエア又はプログラムは、コンピュータを、管理装置１００又はその一部として機能させるためのプログラムであってよい。上記のソフトウエア又はプログラムは、コンピュータに、管理装置１００又はその一部における情報処理を実行させるためのプログラムであってよい。
【００３２】
［バッテリ管理システム２００の概要］
図２は、バッテリ管理システム２００のシステム構成の一例を概略的に示す。本実施形態において、バッテリ管理システム２００は、例えば、１又は複数のバッテリステーション２１０と、管理サーバ２２０とを備える。バッテリ管理システム２００は、ユーザ端末２３０を備えてもよい。バッテリ管理システム２００の各部は、通信ネットワーク１０を介して、互いに情報を送受してよい。
【００３３】
本実施形態において、通信ネットワーク１０は、有線通信の伝送路であってもよく、無線通信の伝送路であってもよく、無線通信の伝送路及び有線通信の伝送路の組み合わせであってもよい。通信ネットワーク１０は、無線パケット通信網、インターネット、Ｐ２Ｐネットワーク、専用回線、ＶＰＮ、電力線通信回線などを含んでもよい。通信ネットワーク１０は、（ｉ）携帯電話回線網などの移動体通信網を含んでもよく、（ｉｉ）無線ＭＡＮ（例えば、ＷｉＭＡＸ（登録商標）である。）、無線ＬＡＮ（例えば、ＷｉＦｉ（登録商標）である。）、Ｂｌｕｅｔｏｏｔｈ（登録商標）、Ｚｉｇｂｅｅ（登録商標）、ＮＦＣ（Ｎｅａｒ  Ｆｉｅｌｄ  Ｃｏｍｍｕｎｉｃａｔｉｏｎ）などの無線通信網を含んでもよい。
【００３４】
本実施形態においては、バッテリ管理システム２００が、１又は複数のモバイルバッテリ２２を、ユーザに貸し出す場合を例として、バッテリ管理システム２００の詳細について説明する。ユーザは、貸し出されたモバイルバッテリ２２を、例えば、電動バイク又は電動自転車の電源として利用する。一方、１又は複数のモバイルバッテリ２２の管理者は、性能が低下したモバイルバッテリ２２をバッテリステーション２１０から回収し、新たなモバイルバッテリ２２をバッテリステーション２１０に導入する。
【００３５】
本実施形態において、バッテリ管理システム２００は、１又は複数のモバイルバッテリ２２を管理する。バッテリ管理システム２００は、１又は複数のモバイルバッテリ２２のそれぞれの利用を管理してよい。例えば、バッテリ管理システム２００は、１又は複数のモバイルバッテリ２２のそれぞれの貸出状態、運用状態（例えば、充電中、放電中及び待機中である。）、充電状態（例えば、現在のＳＯＣである。）、保管状態（例えば、温度などである。）、劣化状態などを管理する。なお、１又は複数のモバイルバッテリ２２の提供形態は、貸し出しに限定されるものではない。また、「１又は複数」を、「１以上」又は「少なくとも１つ」と記載する場合がある。
【００３６】
モバイルバッテリ２２は、移動体、作業機械又は電気機器の電源として利用されてよい。移動体及び作業機械のそれぞれは、電動機を動力源とする移動体及び作業機械であってよい。移動体としては、自動車、自動二輪車、動力ユニットを有する立ち乗り用の乗り物、船舶、飛行体などを例示することができる。自動車としては、ガソリン車、ディーゼル車、電気自動車、燃料電池自動車、ハイブリッド自動車、小型コミュータ、電動カートなどを例示することができる。自動二輪車としては、バイク、三輪バイク、電動自転車などを例示することができる。船舶としては、船、ホバークラフト、水上バイク、潜水艦、潜水艇、水中スクータなどを例示することができる。飛行体としては、飛行機、飛行船又は風船、気球、ヘリコプター、ドローンなどを例示することができる。作業機械としては、耕うん機、除雪機、芝刈機、刈払機、草刈機、高圧洗浄機、ブロワー、ランマー、ＢＩＰＳ（Ｂａｔｔｅｒｙ  Ｉｎｖｅｒｔｅｒ  Ｐｏｗｅｒ  Ｓｏｕｒｃｅ）などを例示することができる。
【００３７】
モバイルバッテリ２２は、消耗品、蓄電池（より具体的には、可搬型蓄電池である。）の一例であってよい。バッテリ管理システム２００は、管理装置の一例であってよい。バッテリステーション２１０は、管理装置の一例であってよい。バッテリステーション２１０は、１又は複数の蓄電池を格納する蓄電池格納装置の一例であってよい。管理サーバ２２０は、管理装置の一例であってよい。劣化状態は、劣化具合の一例であってよい。
【００３８】
［バッテリ管理システム２００の各部の概要］
本実施形態において、バッテリステーション２１０は、１以上のモバイルバッテリ２２を格納する。バッテリステーション２１０は、１又は複数のモバイルバッテリ２２を管理してよい。例えば、バッテリ管理システム２００は、１又は複数のモバイルバッテリ２２のそれぞれの利用を管理する。
【００３９】
本実施形態において、バッテリステーション２１０は、１以上のモバイルバッテリ２２をユーザに貸し出す。バッテリステーション２１０は、複数個のモバイルバッテリ２２を１組として、ユーザに貸し出してよい。バッテリステーション２１０は、ユーザが今まで利用していたモバイルバッテリ２２がバッテリステーション２１０に格納されたことに応じて、バッテリステーション２１０に格納されている新たなモバイルバッテリ２２を、当該ユーザに貸し出してよい。モバイルバッテリ２２の貸し出しは、モバイルバッテリ２２の利用の一例であってよい。
【００４０】
一実施形態において、バッテリステーション２１０は、１以上のモバイルバッテリ２２を充電する。バッテリステーション２１０は、各モバイルバッテリの充電履歴に関する情報を、各モバイルバッテリのメモリに書き込んでよい。充電履歴に関する情報は、充電開始時刻、充電終了時刻、充電時の条件（例えば、電圧及び電流の少なくとも一方に関する条件である。）、充電開始時のＳＯＣ、充電終了時のＳＯＣ、及び、バッテリステーション２１０の識別情報（ステーションＩＤと称する場合がある。）の少なくとも１つを含んでよい。
【００４１】
他の実施形態において、バッテリステーション２１０は、１以上のモバイルバッテリ２２を放電する。バッテリステーション２１０は、各モバイルバッテリの放電履歴に関する情報を、各モバイルバッテリのメモリに書き込んでよい。放電履歴に関する情報は、放電開始時刻、放電終了時刻、放電時の条件（例えば、電圧及び電流の少なくとも一方に関する条件である。）、放電開始時のＳＯＣ、放電終了時のＳＯＣ、及び、バッテリステーション２１０の識別情報（ステーションＩＤと称する場合がある。）の少なくとも１つを含んでよい。
【００４２】
バッテリステーション２１０は、１以上のモバイルバッテリ２２のそれぞれの劣化状態を判定してもよい。例えば、バッテリステーション２１０は、予め定められた充放電パターンに従って、判定対象となるモバイルバッテリ２２を充電したり、放電したりする。バッテリステーション２１０は、得られた充放電曲線を解析して、モバイルバッテリ２２の劣化状態を判定する。バッテリステーション２１０は、各モバイルバッテリの劣化状態に関する判定結果を、各モバイルバッテリのメモリに書き込んでよい。
【００４３】
本実施形態において、バッテリステーション２１０は、例えば、発電装置３４から電力を受電する。バッテリステーション２１０は、例えば、電力系統３６から電力を受電する。また、バッテリステーション２１０は、例えば、電力系統３６に電力を供給する。バッテリステーション２１０は、例えば、電気機器３８に電力を供給する。
【００４４】
本実施形態において、管理サーバ２２０は、１以上のモバイルバッテリ２２（管理対象となるモバイルバッテリと称する場合がある。）を管理する。例えば、管理サーバ２２０は、管理対象となるモバイルバッテリの仕様、貸出状態、運用状態、充電状態（例えば、現在のＳＯＣである。）、保管状態（例えば、温度などである。）、劣化状態、エラー履歴、貸出履歴などを管理する。運用状態としては、充電中、放電中、待機中などを例示することができる。
【００４５】
本実施形態において、管理サーバ２２０は、バッテリステーション２１０を管理する。管理サーバ２２０は、１以上のバッテリステーション２１０のそれぞれ（管理対象となるバッテリステーションと称する場合がある）を管理してもよい。例えば、管理サーバ２２０は、管理対象となるバッテリステーションの位置、仕様、運転状態、運用状態、管理責任者（例えば、識別ＩＤ、氏名、名称、アドレス、電話番号などである。）、エラー履歴、貸出履歴などを管理する。
【００４６】
バッテリステーションの位置としては、当該バッテリステーションが配置されている位置の（ｉ）緯度及び経度、（ｉｉ）緯度、経度及び高度、（ｉｉｉ）住所などを例示することができる。バッテリステーションの仕様としては、当該バッテリステーションの充電能力、当該バッテリステーションが格納することのできるモバイルバッテリ２２の最大個数（最大格納個数ＮＭＡＸにと称する場合がある。）などを例示することができる。
【００４７】
運転状態としては、運転中、停止中、異常発生中などを例示することができる。運用状態としては、管理対象となるバッテリステーションにおける、（ｉ）モバイルバッテリ２２の貸出状況、（ｉｉ）稼働率、（ｉｉｉ）貸出対象となるモバイルバッテリ２２の優先順位などを例示することができる。貸出状況としては、（ｉ）貸出中のモバイルバッテリ２２の個数、（ｉｉ）格納中のモバイルバッテリ２２の個数、（ｉｉｉ）貸出可能なモバイルバッテリ２２の個数、（ｉｖ）最大格納個数に対する上記の（ｉ）〜（ｉｉｉ）の個数の割合などを例示することができる。稼働率は、例えば、最大格納個数ＮＭＡＸに対する、貸出可能なモバイルバッテリ２２の個数ＮＲＥＮＴの割合（ＮＲＥＮＴ／ＮＭＡＸ）として定められる。
【００４８】
本実施形態において、ユーザ端末２３０は、モバイルバッテリ２２又はバッテリ管理システム２００を利用するユーザの通信端末である。ユーザ端末２３０は、例えば、ユーザからの入力を受け付ける。ユーザ端末２３０は、ユーザからの入力に基づいて、管理サーバ２２０に各種の要求を送信してよい。各種の要求としては、特定の条件に合致するバッテリステーション２１０を検索するための検索要求、特定のバッテリステーション２１０に格納されている任意又は特定のモバイルバッテリ２２を予約するための予約要求などを例示することができる。
【００４９】
一実施形態において、ユーザ端末２３０は、管理サーバ２２０から、ユーザインタフェース画面（ＵＩ画面と称する場合がある。）を生成するための情報を受信する。ユーザ端末２３０は、ユーザ端末２３０が管理サーバ２２０から受信した情報に基づいて、ＵＩ画面を生成してよい。ユーザ端末２３０は、生成されたＵＩ画面をユーザに提示してよい。ＵＩ画面は、ユーザ端末２３０が出力する情報の一例であってよい。他の実施形態において、ユーザ端末２３０は、ユーザ端末２３０が管理サーバ２２０から受信した情報に基づいて、音声を出力してよい。
【００５０】
ユーザ端末２３０は、通信ネットワーク１０を介して、バッテリ管理システム２００の各部（例えば、管理サーバ２２０である。）と情報を送受することのできる機器であればよく、その詳細については特に限定されない。ユーザ端末２３０としては、パーソナルコンピュータ、携帯端末などを例示することができる。携帯端末としては、携帯電話、スマートフォン、ＰＤＡ、タブレット、ノートブック・コンピュータ又はラップトップ・コンピュータ、ウエアラブル・コンピュータなどを例示することができる。
【００５１】
本実施形態において、管理サーバ２２０が、１以上のモバイルバッテリ２２及び１以上のバッテリステーション２１０を管理する場合について説明した。しかしながら、バッテリ管理システム２００は、本実施形態に限定されない。他の実施形態において、１以上のバッテリステーション２１０の少なくとも１つが管理サーバ２２０の機能を有し、当該少なくとも１つのバッテリステーション２１０が、１以上のモバイルバッテリ２２、及び、１以上のバッテリステーション２１０の少なくとも一方を管理してよい。この場合、バッテリ管理システム２００は、管理サーバ２２０を備えなくてもよい。
【００５２】
［バッテリ管理システム２００の各部の具体的な構成］
バッテリ管理システム２００の各部は、ハードウェアにより実現されてもよく、ソフトウエアにより実現されてもよく、ハードウェア及びソフトウエアにより実現されてもよい。バッテリ管理システム２００の各部は、その少なくとも一部が、単一のサーバによって実現されてもよく、複数のサーバによって実現されてもよい。バッテリ管理システム２００の各部は、その少なくとも一部が、仮想サーバ上又はクラウドシステム上で実現されてもよい。バッテリ管理システム２００の各部は、その少なくとも一部が、パーソナルコンピュータ又は携帯端末によって実現されてもよい。携帯端末としては、携帯電話、スマートフォン、ＰＤＡ、タブレット、ノートブック・コンピュータ又はラップトップ・コンピュータ、ウエアラブル・コンピュータなどを例示することができる。バッテリ管理システム２００の各部は、ブロックチェーンなどの分散型台帳技術又は分散型ネットワークを利用して、情報を格納してもよい。
【００５３】
バッテリ管理システム２００を構成する構成要素の少なくとも一部がソフトウエアにより実現される場合、当該ソフトウエアにより実現される構成要素は、一般的な構成の情報処理装置において、当該構成要素に関する動作を規定したソフトウエア又はプログラムを起動することにより実現されてよい。上記の一般的な構成の情報処理装置は、（ｉ）ＣＰＵ、ＧＰＵなどのプロセッサ、ＲＯＭ、ＲＡＭ、通信インタフェースなどを有するデータ処理装置と、（ｉｉ）キーボード、ポインティングデバイス、タッチパネル、カメラ、音声入力装置、ジェスチャ入力装置、各種センサ、ＧＰＳ受信機などの入力装置と、（ｉｉｉ）表示装置、音声出力装置、振動装置などの出力装置と、（ｉｖ）メモリ、ＨＤＤ、ＳＳＤなどの記憶装置（外部記憶装置を含む。）とを備えてよい。
【００５４】
上記の一般的な構成の情報処理装置において、上記のデータ処理装置又は記憶装置は、上記のソフトウエア又はプログラムを記憶してよい。上記のソフトウエア又はプログラムは、プロセッサによって実行されることにより、上記の情報処理装置に、当該ソフトウエア又はプログラムによって規定された動作を実行させる。上記のソフトウエア又はプログラムは、非一時的なコンピュータ可読記録媒体に格納されていてもよい。上記のソフトウエア又はプログラムは、コンピュータを、バッテリ管理システム２００又はその一部として機能させるためのプログラムであってよい。上記のソフトウエア又はプログラムは、コンピュータに、バッテリ管理システム２００又はその一部における情報処理を実行させるためのプログラムであってよい。
【００５５】
上記のソフトウエア又はプログラムは、コンピュータに、複数の消耗品の利用を管理する方法を実行させるためのプログラムであってよい。上記のプログラムは、コンピュータに、複数の消耗品のうち少なくとも１つの消耗品の消耗具合に関する目標条件を示す目標情報を取得する目標情報取得段階を実行させるためのプログラムであってよい。上記のプログラムは、コンピュータに、少なくとも１つの消耗品のそれぞれについて、当該消耗品の利用が開始されてからの利用具合を示す利用情報を取得する利用情報取得段階を実行させるためのプログラムであってよい。上記のプログラムは、コンピュータに、少なくとも１つの消耗品のそれぞれについて、当該消耗品の消耗具合を示す消耗情報を取得する消耗情報取得段階を実行させるためのプログラムであってよい。上記のプログラムは、コンピュータに、少なくとも１つの消耗品のそれぞれについて、（ｉ）目標情報取得段階において取得された目標情報により示される目標条件と、（ｉｉ）利用情報取得段階において取得された利用情報により示される各消耗品の利用具合と、（ｉｉｉ）消耗情報取得段階において取得された消耗情報により示される各消耗品の消耗具合とに基づいて、各消耗品の（ｉ）利用の可否及び（ｉｉ）利用に関する優先具合の少なくとも一方を決定する決定段階を実行させるためのプログラムであってよい。上記のプログラムにおいて、目標条件は、利用具合に関する条件を含んでよい。
【００５６】
上記のソフトウエア又はプログラムは、コンピュータに、１又は複数の消耗品の再利用品又は中古品を生産する方法を実行させるためのプログラムであってよい。上記のプログラムは、コンピュータに、複数の消耗品のうち少なくとも１つの消耗品の消耗具合に関する目標条件を示す目標情報を取得する目標情報取得段階を実行させるためのプログラムであってよい。上記のプログラムは、コンピュータに、少なくとも１つの消耗品のそれぞれについて、当該消耗品の利用が開始されてからの利用具合を示す利用情報を取得する利用情報取得段階を実行させるためのプログラムであってよい。上記のプログラムは、コンピュータに、少なくとも１つの消耗品のそれぞれについて、当該消耗品の消耗具合を示す消耗情報を取得する消耗情報取得段階を実行させるためのプログラムであってよい。上記のプログラムは、コンピュータに、少なくとも１つの消耗品のそれぞれについて、（ｉ）目標情報取得段階において取得された目標情報により示される目標条件と、（ｉｉ）利用情報取得段階において取得された利用情報により示される各消耗品の利用具合と、（ｉｉｉ）消耗情報取得段階において取得された消耗情報により示される各消耗品の消耗具合とに基づいて、各消耗品の（ｉ）利用の可否及び（ｉｉ）利用に関する優先具合の少なくとも一方を決定する決定段階を実行させるためのプログラムであってよい。上記のプログラムは、コンピュータに、決定段階において決定された、各消耗品の（ｉ）利用の可否及び（ｉｉ）優先具合の少なくとも一方に基づいて、複数の消耗品のうち、優先して利用されるべき１以上の消耗品を抽出する抽出段階を実行させるためのプログラムであってよい。上記のプログラムにおいて、目標条件は、利用具合に関する条件を含んでよい。
【００５７】
図３は、バッテリステーション２１０の内部構成の一例を概略的に示す。本実施形態において、バッテリステーション２１０は、例えば、電力量計３１２と、分電盤３１４と、制御回路３２０と、バッテリ格納部３３０と、コネクタ３３２と、センス部３４０と、制御部３５０とを備える。本実施形態において、制御部３５０は、例えば、通信制御部３５２と、充放電制御部３５４と、貸出管理部３５６とを有する。制御部３５０の各部は、互いに情報を送受してよい。
【００５８】
センス部３４０は、消耗情報取得部及び履歴情報取得部の一例であってよい。制御部３５０は、管理装置の一例であってよい。通信制御部３５２は、目標情報取得部、利用情報取得部、消耗情報取得部、及び、履歴情報取得部の一例であってよい。貸出管理部３５６は、管理装置の一例であってよい。
【００５９】
本実施形態において、電力量計３１２は、バッテリステーション２１０が、発電装置３４及び電力系統３６の少なくとも一方（電力供給者と称する場合がある。）から受電した電力量を計測する。電力量計３１２は、電力供給者ごとに電力量を計測してよい。本実施形態において、電力量計３１２は、バッテリステーション２１０が、電力系統３６及び電気機器３８の少なくとも一方（電力需要者と称する場合がある。）に供給した電力量を計測する。電力量計３１２は、電力需要者ごとに電力量を計測してよい。
【００６０】
本実施形態において、分電盤３１４は電力を受電し、当該電力をバッテリステーション２１０の各部に分岐する。分電盤３１４は、１以上のコネクタ３３２のそれぞれに電気的に接続されてよい。分電盤３１４は、１以上の制御回路３２０のそれぞれに電気的に接続されてよい。分電盤３１４は、パワーコンディショナを有してよい。パワーコンディショナは、双方向ＡＣ／ＤＣ回路を有してよい。
【００６１】
本実施形態において、制御回路３２０は、モバイルバッテリ２２の充放電を制御する。例えば、制御回路３２０は、充放電制御部３５４から、充放電を制御するための情報又は信号を受信する。制御回路３２０は、充放電制御部３５４からの情報又は信号に基づいて、モバイルバッテリ２２の充放電を制御してよい。
【００６２】
制御回路３２０は、１以上の片方向ＤＣ／ＤＣ回路を備えてよい。１以上の片方向ＤＣ／ＤＣ回路のそれぞれは、１以上のコネクタ３３２と電気的に接続されてよい。制御回路３２０は、１以上の双方向ＤＣ／ＤＣ回路を備えてよい。１以上の双方向ＤＣ／ＤＣ回路のそれぞれは、１以上のコネクタ３３２と電気的に接続されてよい。制御回路３２０は、バッテリステーション２１０の最大格納個数と同数の双方向ＤＣ／ＤＣ回路を備えてよい。制御回路３２０は、バッテリステーション２１０の最大格納個数より少ない数の双方向ＤＣ／ＤＣ回路を備えてよい。
【００６３】
本実施形態において、バッテリ格納部３３０は、少なくとも１つのモバイルバッテリ２２を格納する。バッテリステーション２１０は、１以上のバッテリ格納部３３０を備えてもよい。１以上のバッテリ格納部３３０のそれぞれは、単一のモバイルバッテリ２２を格納してもよく、複数のモバイルバッテリ２２を格納してもよい。
【００６４】
本実施形態において、コネクタ３３２は、１以上のモバイルバッテリ２２のそれぞれと電気的に接続される。バッテリステーション２１０は、１以上のコネクタ３３２を備えてもよい。１以上のコネクタ３３２のそれぞれは、単一のモバイルバッテリ２２と電気的に接続されてもよく、複数のモバイルバッテリ２２と電気的に接続されてもよい。コネクタ３３２及びモバイルバッテリ２２の接続方式は、有線方式であってもよく、無線方式であってもよい。コネクタ３３２は、例えば、モバイルバッテリ２２及び制御回路３２０の間で、電力を伝送する。コネクタ３３２は、モバイルバッテリ２２及び通信制御部３５２の間で、通信信号を伝送してもよい。コネクタ３３２は、例えば、バッテリ格納部３３０の内部に配される。
【００６５】
本実施形態において、センス部３４０は、モバイルバッテリ２２及びバッテリステーション２１０の少なくとも一方に関する各種の物理量を計測する。これにより、センス部３４０は、１以上の２２の少なくとも１つに関する情報を取得してもよく、１以上のモバイルバッテリ２２のそれぞれに関する情報を取得してもよい。センス部３４０は、取得された情報を制御部３５０に送信してよい。センス部３４０は、１以上の種類のセンサを有してよい。例えば、センス部３４０は、１以上のモバイルバッテリ２２の少なくとも１つの温度を測定する１以上の温度計を有する。温度計の測定方式は、接触式であってもよく、非接触式であってもよい。センス部３４０は、１以上のモバイルバッテリ２２の少なくとも１つの過電圧及び過電流の少なくとも一方を検出する過電流・過電圧検出器であってもよい。
【００６６】
本実施形態において、制御部３５０は、バッテリステーション２１０の動作を制御する。制御部３５０は、バッテリステーション２１０における各種の情報処理方法を実行する。制御部３５０は、管理サーバ２２０及びユーザ端末２３０の少なくとも一方から、情報又は要求を受信してよい。制御部３５０は、管理サーバ２２０及びユーザ端末２３０の少なくとも一方に対して、情報又は要求を送信してよい。制御部３５０は、モバイルバッテリ２２のメモリに記録された情報を読み込んでよい。制御部３５０は、モバイルバッテリ２２のメモリに情報を書き込んでよい。
【００６７】
モバイルバッテリ２２のメモリには、例えば、ユーザの識別情報（ユーザＩＤと称する場合がある。）、モバイルバッテリ２２の識別情報（バッテリＩＤと称する場合がある。）、ユーザ又はモバイルバッテリ２２の移動履歴又は移動距離を示す情報、モバイルバッテリ２２の劣化状態を示す情報、モバイルバッテリ２２の充電に関する制約（充電条件と称する場合がある。）を示す情報などが格納される。ユーザの識別情報としては、（ｉ）バッテリ管理システム２００の管理者が各ユーザに割り当てたＩＤ、（ｉｉ）ユーザの氏名、名称、通称又はニックネーム、（ｉｉｉ）ユーザのアドレス、電話番号、各種サービスのアカウント（例えば、ＳＮＳのアカウントである。）、（ｉｖ）モバイルバッテリ２２を利用する機器（例えば、電動バイク又は電動自転車である。）のＩＤなどを例示することができる。
【００６８】
モバイルバッテリ２２のメモリには、モバイルバッテリ２２の導入時期を示す情報が格納されてもよい。モバイルバッテリ２２のメモリには、モバイルバッテリ２２の充放電の履歴を示す情報が格納されてもよい。充放電の履歴を示す情報は、充電の履歴を示す情報、及び、放電の履歴を示す情報の少なくとも一方を含んでよい。充放電の履歴は、モバイルバッテリ２２の利用が開始されてからの利用履歴の一例であってよい。
【００６９】
本実施形態において、通信制御部３５２は、通信を制御する。一実施形態において、通信制御部３５２は、制御部３５０と、バッテリステーション２１０の各部との間の通信を制御する。他の実施形態において、通信制御部３５２は、制御部３５０と、バッテリステーション２１０の外部の機器との間の通信を制御する。例えば、通信制御部３５２は、制御部３５０と、管理サーバ２２０及びユーザ端末２３０の少なくとも一方との間の通信を制御する。例えば、通信制御部３５２は、制御部３５０と、モバイルバッテリ２２との間の通信を制御する。通信制御部３５２は、通信インタフェースであってもよい。通信制御部３５２は、１以上の種類の通信方式に対応してよい。
【００７０】
本実施形態において、充放電制御部３５４は、１以上のモバイルバッテリ２２の充放電を制御する。充放電制御部３５４は、例えば、制御回路３２０を制御することで、モバイルバッテリ２２の充放電を制御する。充放電制御部３５４は、例えば、１以上のモバイルバッテリ２２のそれぞれの充電又は放電を開始するタイミング、当該充電又は放電を終了するタイミング、充電速度又は放電速度などを制御する。
【００７１】
充放電制御部３５４は、充放電のスケジュールを作成してよい。例えば、充放電制御部３５４は、バッテリステーション２１０に格納されている１以上のモバイルバッテリ２２のうち、どのモバイルバッテリ２２を充電するかを決定する。充放電制御部３５４は、バッテリステーション２１０に格納されている１以上のモバイルバッテリ２２のうち、どのモバイルバッテリ２２を、いつまでにどの程度まで充電するかを決定してもよい。
【００７２】
本実施形態において、貸出管理部３５６は、バッテリステーション２１０における、モバイルバッテリ２２の貸し出しを管理する。貸出管理部３５６は、バッテリステーション２１０に格納されている１以上のモバイルバッテリ２２の状態を管理してもよい。例えば、貸出管理部３５６は、上記のモバイルバッテリ２２の運用状態、充電状態、保管状態及び劣化状態の少なくとも１つを管理する。貸出管理部３５６は、センス部３４０が取得した情報に基づいて、１以上のモバイルバッテリ２２の状態を管理してよい。貸出管理部３５６は、モバイルバッテリ２２の異常又は不良を検出してもよい。
【００７３】
本実施形態において、制御部３５０がバッテリステーション２１０に配される場合について説明した。しかしながら、制御部３５０は本実施形態に限定されない。他の実施形態において、制御部３５０の機能又は制御部３５０の一部の機能が、管理サーバ２２０により実現される。例えば、充放電制御部３５４及び貸出管理部３５６の少なくとも一方が、管理サーバ２２０に配される。充放電制御部３５４の一部が、管理サーバ２２０に配されてもよい。貸出管理部３５６の一部が、管理サーバ２２０に配されてもよい。
【００７４】
図４は、貸出管理部３５６の内部構成の一例を概略的に示す。本実施形態において、貸出管理部３５６は、例えば、状態監視部４１０と、貸出履歴管理部４２０と、充放電履歴管理部４３０と、管理目標取得部４４０と、優先順位決定部４５０と、貸出対象決定部４６０とを備える。貸出管理部３５６の各部は、互いに情報を送受してよい。なお、貸出管理部３５６の一部は、管理サーバ２２０に配されてもよい。例えば、優先順位決定部４５０及び貸出対象決定部４６０の少なくとも一方が、管理サーバ２２０に配されてもよい。
【００７５】
状態監視部４１０は、消耗情報取得部の一例であってよい。貸出履歴管理部４２０は、利用情報取得部及び履歴情報取得部の一例であってよい。充放電履歴管理部４３０は、利用情報取得部及び履歴情報取得部の一例であってよい。管理目標取得部４４０は、目標情報取得部の一例であってよい。優先順位決定部４５０は、目標情報取得部の一例であってよい。貸出対象決定部４６０は、抽出部の一例であってよい。
【００７６】
本実施形態において、状態監視部４１０は、バッテリステーション２１０に格納されているモバイルバッテリ２２の状態を監視する。例えば、状態監視部４１０は、バッテリステーション２１０に格納されている１以上のモバイルバッテリ２２のそれぞれに関する各種の情報を取得する。状態監視部４１０は、上記のモバイルバッテリ２２の運用状態、充電状態、保管状態及び劣化状態の少なくとも1つに関する情報を取得してよい。状態監視部４１０は、状態監視部４１０が取得した情報を、管理サーバ２２０に送信してよい。
【００７７】
一実施形態において、状態監視部４１０は、１以上のモバイルバッテリ２２のそれぞれのメモリにアクセスして、当該メモリに記憶された当該モバイルバッテリに関する各種の情報を取得する。例えば、状態監視部４１０は、各モバイルバッテリのメモリから、当該モバイルバッテリの劣化情報を取得する。他の実施形態において、状態監視部４１０は、バッテリステーション２１０に格納されている１以上のモバイルバッテリ２２の少なくとも１つの劣化状態を判定する。例えば、状態監視部４１０は、予め定められた充放電パターンに従って、判定対象となるモバイルバッテリ２２を充電したり、放電したりする。状態監視部４１０は、得られた充放電曲線を解析して、上記のモバイルバッテリ２２の劣化状態を判定する。状態監視部４１０は、上記のモバイルバッテリ２２の劣化状態を示す情報を、上記のモバイルバッテリ２２のメモリに書き込んでよい。
【００７８】
さらに他の実施形態において、状態監視部４１０は、センス部３４０から、１以上のモバイルバッテリ２２のそれぞれに関する各種の情報を取得する。例えば、状態監視部４１０は、センス部３４０から、１以上のモバイルバッテリ２２のそれぞれの充電状態を示す情報を取得してもよい。充電状態を示す情報は、ＳＯＣを示す情報、又は、ＳＯＣを算出するための情報であってよい。ＳＯＣを算出するための情報としては、電圧を示す情報、充電電流の累積値を示す情報などを例示することができる。状態監視部４１０は、センス部３４０から、現在の時刻又は直近の測定時刻における、１以上のモバイルバッテリ２２のそれぞれに関する各種の測定結果を示す情報を取得してよい。状態監視部４１０は、センス部３４０から、１以上のモバイルバッテリ２２のそれぞれに関する各種の測定結果と、当該測定結果が取得された測定時刻とが対応づけられた情報を取得してもよい。状態監視部４１０は、状態監視部４１０がセンス部３４０から取得した情報を、対応するモバイルバッテリ２２のメモリに書き込んでよい。
【００７９】
本実施形態において、貸出履歴管理部４２０は、バッテリステーション２１０に格納されている１以上のモバイルバッテリ２２のそれぞれの貸出履歴を管理する。貸出履歴は、モバイルバッテリ２２の利用が開始されてからの利用具合を示す利用情報の一例であってよい。貸出履歴は、モバイルバッテリ２２の利用が開始されてからの利用履歴を示す履歴情報の一例であってもよい。
【００８０】
一実施形態において、貸出履歴管理部４２０は、バッテリステーション２１０に格納されていたモバイルバッテリ２２がユーザに貸し出された場合に、貸し出されたモバイルバッテリ２２のバッテリＩＤと、当該ユーザのユーザＩＤと、貸出日時と、貸出時のＳＯＣとを対応付けて記憶する。貸出履歴管理部４２０は、上記の情報に、バッテリステーション２１０のステーションＩＤをさらに対応付けて記憶してもよい。他の実施形態において、貸出履歴管理部４２０は、モバイルバッテリ２２がバッテリステーション２１０に返却された場合に、返却されたモバイルバッテリ２２のバッテリＩＤと、返却日時と、返却時のＳＯＣとを対応付けて記憶する。貸出履歴管理部４２０は、上記の情報に、バッテリステーション２１０のステーションＩＤをさらに対応付けて記憶してもよい。
【００８１】
貸出履歴管理部４２０は、モバイルバッテリ２２が貸し出されるときに、当該モバイルバッテリ２２のメモリに、貸出履歴又はその一部を書き込んでよい。貸出履歴管理部４２０は、モバイルバッテリ２２が返却されたときに、返却されたモバイルバッテリ２２のメモリにアクセスして、（ｉ）導入時期又は（ｉｉ）以前に格納されていたバッテリステーション２１０のステーションＩＤを示す情報が記録されているか否かを判定してよい。上記のメモリに、（ｉ）導入時期及び（ｉｉ）以前に格納されていたバッテリステーション２１０のステーションＩＤを示す情報が記録されていない場合、貸出履歴管理部４２０は、今回の返却日時を、今回返却されたモバイルバッテリ２２の導入時期として記憶してよい。
【００８２】
貸出履歴管理部４２０は、モバイルバッテリ２２の貸出履歴を解析して、（ｉ）モバイルバッテリ２２の利用が開始されてからの充電又は放電の回数（充放電回数と称する場合がある。）、（ｉｉ）モバイルバッテリ２２の利用が開始されてから、モバイルバッテリ２２がユーザに貸し出されていた使用時間、及び、（ｉｉｉ）モバイルバッテリ２２が導入時期からの経過時間の少なくとも１つを算出してよい。貸出履歴管理部４２０は、モバイルバッテリ２２の貸出履歴を解析して、充放電回数、使用時間及び経過時間の少なくとも１つに基づいて定められる指標を算出してもよい。モバイルバッテリ２２の充放電回数は、消耗品に対する補給又は再生の回数の一例であってよい。モバイルバッテリ２２の使用時間は、消耗品の利用時間の一例であってよい。モバイルバッテリ２２の導入時期は、消耗品の利用が開始された時点の一例であってよい。
【００８３】
貸出履歴管理部４２０は、貸出履歴を示す情報を管理サーバ２２０に送信してよい。貸出履歴管理部４２０は、モバイルバッテリ２２の導入時期を示す情報を管理サーバ２２０に送信してよい。貸出履歴管理部４２０は、貸出履歴の解析結果を示す情報を管理サーバ２２０に送信してもよい。
【００８４】
本実施形態において、充放電履歴管理部４３０は、バッテリステーション２１０に格納されている１以上のモバイルバッテリ２２のそれぞれの充放電履歴を管理する。充放電履歴は、モバイルバッテリ２２の利用が開始されてからの利用具合を示す利用情報の一例であってよい。貸出履歴は、モバイルバッテリ２２の利用が開始されてからの利用履歴を示す履歴情報の一例であってもよい。充放電履歴管理部４３０は、モバイルバッテリ２２の充放電履歴を解析して、モバイルバッテリ２２の利用が開始されてからの充放電回数を算出してよい。
【００８５】
充放電履歴管理部４３０は、モバイルバッテリ２２の充放電履歴及び当該充放電履歴の解析結果の少なくとも一方を、管理サーバ２２０に送信してよい。充放電履歴管理部４３０は、モバイルバッテリ２２の充放電履歴及び当該充放電履歴の解析結果の少なくとも一方を、モバイルバッテリ２２のメモリに書き込んでもよい。
【００８６】
本実施形態において、管理目標取得部４４０は、バッテリステーション２１０に格納されている１以上のモバイルバッテリ２２を管理するための判断基準となる管理目標を示す情報を取得する。例えば、管理目標取得部４４０は、管理サーバ２２０から、管理条件又は貸出条件を示す情報を取得する。管理目標取得部４４０は、管理目標取得部４４０が取得した管理条件又は貸出条件を示す情報を優先順位決定部４５０に送信してよい。
【００８７】
本実施形態において、優先順位決定部４５０は、バッテリステーション２１０に格納されている１以上のモバイルバッテリ２２のそれぞれについて、貸出対象となる優先順位を決定する。例えば、優先順位決定部４５０は、（ｉ）管理目標取得部４４０が取得した管理条件又は貸出条件と、（ｉｉ）貸出履歴管理部４２０が管理する貸出履歴及び充放電履歴管理部４３０が管理する充放電履歴の少なくとも一方とに基づいて、優先順位を決定する。上記の優先順位は、（ｉ）モバイルバッテリ２２の貸し出しの可否、及び、（ｉｉ）モバイルバッテリ２２の貸し出しに関する優先具合を示す情報であってよい。モバイルバッテリ２２の貸し出しの可否は、消耗品の利用の可否の一例であってよい。モバイルバッテリ２２の貸し出しに関する優先具合は、消耗品の優先具合の一例であってよい。
【００８８】
一実施形態において、優先順位決定部４５０は、管理目標取得部４４０が取得した貸出条件に基づいて、優先順位を決定する。例えば、優先順位決定部４５０は、特定のバッテリステーション２１０に格納されている１以上のモバイルバッテリ２２（ローカルのモバイルバッテリ２２と称する場合がある。）のそれぞれについて、管理サーバ２２０から、１以上のバッテリステーション２１０に格納されている複数のモバイルバッテリ２２（トータルのモバイルバッテリ２２と称する場合がある。）との比較により決定された優先順位（トータルの優先順位と称する場合がある。）を示す情報を、貸出条件として取得する。優先順位決定部４５０は、管理サーバ２２０から受け取ったトータルの優先順位に基づいて、特定のバッテリステーション２１０に格納されている１以上のモバイルバッテリ２２の中での優先順位（ローカルの優先順位と称する場合がある。）を決定する。
【００８９】
他の実施形態において、優先順位決定部４５０は、貸出履歴管理部４２０が管理する貸出履歴及び充放電履歴管理部４３０が管理する充放電履歴の少なくとも一方に基づいて、優先順位を決定する。例えば、優先順位決定部４５０は、ローカルのモバイルバッテリ２２のうち、モバイルバッテリ２２の状態が予め定められた条件に合致するモバイルバッテリ２２の優先順位が、モバイルバッテリ２２の他のモバイルバッテリ２２の優先順位よりも大きくなるように、ローカルの優先順位を決定する。
【００９０】
予め定められた条件としては、ＳＯＣが予め定められた範囲に収まっていないという条件、ＳＯＣが予め定められた範囲に収まっていない時間の長さが、予め定められた条件を満足するという条件、ＳＯＣが予め定められた範囲に収まっているという条件、ＳＯＣが予め定められた範囲に収まっている時間の長さが、予め定められた条件を満足するという条件などを例示することができる。上記の予め定められた範囲は、当該範囲の具体的な数値範囲が予め定められていてもよく、当該範囲の具体的な数値範囲が、予め定められたアルゴリズムに基づいて定められてもよい。例えば、上記の範囲の具体的な数値範囲は、時間及び環境温度の少なくとも一方に基づいて算出される。
【００９１】
例えば、ＳＯＣの値が第１の閾値よりも大きい状態が、第２の閾値よりも長い時間に亘って継続した場合、モバイルバッテリ２２の劣化の進行が促進される。そこで、このような場合には、優先順位決定部４５０は、モバイルバッテリ２２の優先順位を、他のモバイルバッテリ２２の優先順位よりも大きくする。
【００９２】
本実施形態において、貸出対象決定部４６０は、ローカルのモバイルバッテリ２２のうち、次の貸出対象となる１以上のモバイルバッテリ２２を決定する。例えば、貸出対象決定部４６０は、優先順位決定部４５０が決定した優先順位に基づいて、ローカルのモバイルバッテリ２２の中から、次の貸出対象となる１以上のモバイルバッテリ２２を抽出する。次の貸出対象となる１以上のモバイルバッテリ２２は、優先して利用されるべき消耗品の一例であってよい。
【００９３】
図５は、管理サーバ２２０のシステム構成の一例を概略的に示す。本実施形態において、管理サーバ２２０は、例えば、状態監視部５１０と、バッテリ管理部５２０、予約管理部５３０と、格納部５４０とを備える。本実施形態において、格納部５４０は、例えば、バッテリ情報格納部５４２と、ステーション情報格納部５４４とを有する。管理サーバ２２０の各部は、互いに情報を送受してよい。状態監視部５１０は、消耗情報取得部の一例であってよい。バッテリ管理部５２０は、管理装置の一例であってよい。
【００９４】
本実施形態において、状態監視部５１０は、管理対象となるバッテリステーション２１０のそれぞれを監視する。状態監視部５１０は、管理対象となるバッテリステーション２１０のそれぞれから、バッテリステーション２１０の運転状態及び運用状態の少なくとも一方に関する情報を取得する。例えば、状態監視部５１０は、管理対象となるバッテリステーション２１０のそれぞれから、バッテリステーションの２１０の稼働率を示す情報を取得する。状態監視部５１０は、管理対象となるバッテリステーション２１０のそれぞれから、バッテリステーション２１０における異常の有無を示す情報を取得してもよい。状態監視部５１０は、管理対象となるバッテリステーション２１０のそれぞれから、バッテリステーション２１０の停止又は停止の予定を示す情報を取得してもよい。
【００９５】
本実施形態において、状態監視部５１０は、管理対象となるモバイルバッテリ２２のそれぞれを監視する。例えば、状態監視部５１０は、管理対象となるバッテリステーション２１０のそれぞれから、バッテリステーション２１０に格納されているモバイルバッテリ２２の運用状態、充電状態、保管状態及び劣化状態の少なくとも1つに関する情報を取得する。
【００９６】
本実施形態において、状態監視部５１０は、ユーザの状態を監視する。例えば、状態監視部５１０は、ユーザ端末２３０から、ユーザに関する各種の情報を取得する。状態監視部５１０は、ユーザ端末２３０から、ユーザ端末２３０の位置を示す位置情報を取得してよい。状態監視部５１０は、ユーザ端末２３０から、ユーザ端末２３０の移動履歴を示す情報を取得してよい。この場合、移動履歴は、ＧＰＳ信号により示される位置と、当該ＧＰＳ信号が受信された時刻とにより表されてよい。状態監視部５１０は、管理対象となるバッテリステーション２１０のそれぞれから、管理対象となるモバイルバッテリ２２のメモリに格納されていた、ユーザの移動履歴に関する情報を取得してもよい。
【００９７】
本実施形態において、予約管理部５３０は、管理対象となるモバイルバッテリ２２の予約状況を管理する。例えば、予約管理部５３０は、ユーザ端末２３０からの予約要求を受け付けて、予約処理を実行する。予約管理部５３０は、予約処理の実行結果（予約情報と称する場合がある。）を記憶する。予約情報は、例えば、ユーザＩＤ、貸出希望日、貸出希望時刻、ステーションＩＤ、バッテリＩＤ、希望する充電状態、利用料金、支払方法などに関する情報を含む。予約情報は、予約要求が受け付けられた時刻（予約時刻と称する場合がある）を示す情報、及び、予約時刻におけるユーザの位置を示す情報を含んでもよい。予約管理部５３０は、予約情報の履歴を管理してよい。なお、予約管理部５３０は、ユーザ端末２３０からの検索要求を受け付けて、検索処理を実行してもよい。
【００９８】
本実施形態において、格納部５４０は、各種の情報を格納する。格納部５４０は、状態監視部５１０、バッテリ管理部５２０及び予約管理部５３０が生成又は取得した情報を格納してよい。本実施形態において、バッテリ情報格納部５４２は、管理対象となるモバイルバッテリ２２のそれぞれに関する各種の情報を格納する。バッテリ情報格納部５４２は、管理対象となるモバイルバッテリ２２の貸出履歴を示す情報を格納してもよい。バッテリ情報格納部５４２は、モバイルバッテリ２２のユーザに関する各種の情報を格納してもよい。本実施形態において、ステーション情報格納部５４４は、管理対象となるバッテリステーション２１０のそれぞれに関する各種の情報を格納する。
【００９９】
図６は、バッテリ管理部５２０の内部構成の一例を概略的に示す。本実施形態において、バッテリ管理部５２０は、例えば、通信部６１０と、管理グループ設定部６２０と、管理条件生成部６３０と、地域特性管理部６４０と、判定部６５０とを備える。本実施形態において、判定部６５０は、貸出条件決定部６５２と、不良品検出部６５４とを有する。
【０１００】
通信部６１０は、目標情報取得部、利用情報取得部、消耗情報取得部、及び、履歴情報取得部の一例であってよい。管理条件生成部６３０は、目標条件生成部の一例であってよい。判定部６５０は、管理装置、及び、決定部の一例であってよい。貸出条件決定部６５２は、管理装置、及び、決定部の一例であってよい。不良品検出部６５４は、管理装置、及び、決定部の一例であってよい。
【０１０１】
本実施形態において、通信部６１０は、例えば、バッテリ管理部５２０と、管理サーバ２２０の各部との間で情報を送受する。通信部６１０は、バッテリ管理部５２０と、管理サーバ２２０の外部の機器との間で情報を送受してもよい。例えば、通信部６１０は、バッテリ管理部５２０と、バッテリステーション２１０及びユーザ端末２３０の少なくとも一方との間で情報を送受する。
【０１０２】
本実施形態において、管理グループ設定部６２０は、トータルのモバイルバッテリ２２を１以上のグループに分類する。例えば、管理グループ設定部６２０は、各モバイルバッテリの利用が開始されてから、各モバイルバッテリが利用された程度に応じて、トータルのモバイルバッテリ２２を１以上のグループに分類する。管理グループ設定部６２０は、（ｉ）各モバイルバッテリの充放電回数、使用時間及び経過時間の少なくとも１つ、並びに、（ｉｉ）各モバイルバッテリの充放電回数、使用時間及び経過時間の少なくとも１つに基づいて定められる指標の少なくとも一方に基づいて、トータルのモバイルバッテリ２２を、１以上のグループに分類してよい。
【０１０３】
本実施形態において、管理条件生成部６３０は、管理対象となるモバイルバッテリ２２を管理する場合に判断基準となる管理条件を生成する。管理条件は、モバイルバッテリ２２の利用が開始されてから、モバイルバッテリ２２が利用された程度を示す指標（利用指標と称する場合がある。）に関する条件を含んでよい。利用指標は、モバイルバッテリ２２の充放電回数、使用時間及び経過時間の少なくとも１つであってよい。利用指標は、モバイルバッテリ２２の充放電回数、使用時間及び経過時間の少なくとも１つに基づいて定められる指標であってもよい。管理条件は、例えば、モバイルバッテリ２２の利用指標と、モバイルバッテリ２２の劣化状態の管理目標となる値又は範囲との対応関係を表す。管理条件は、目標条件の一例であってよい。利用指標は、利用具合の一例であってよい。モバイルバッテリ２２の劣化状態は、消耗品の消耗具合の一例であってよい。
【０１０４】
一実施形態において、管理条件生成部６３０は、実験結果に基づいて、管理条件を生成する。管理条件生成部６３０は、例えば、下記の手順により得られた実験結果に基づいて、管理条件を生成する。まず、１又は複数のモバイルバッテリに対して、予め定められた充放電パターンに従って、充放電を繰り返す。次に、予め定められた回数の充放電が終了した段階で、各モバイルバッテリの劣化状態を測定し、当該劣化状態の統計量を算出する。劣化状態は、例えば、正常状態、適正劣化状態、劣化進行状態、劣化末期状態などの区分により表されてもよい。統計量としては、平均値、トリム平均値、中央値、最頻値などを例示することができる。これにより、モバイルバッテリの充放電回数と、モバイルバッテリの劣化状態の統計量との対応関係を示す管理条件が得られる。
【０１０５】
なお、充放電回数及び使用時間の間の換算係数を利用して、モバイルバッテリの充放電回数と、モバイルバッテリの劣化状態の統計量との対応関係を示す管理条件から、モバイルバッテリの使用時間と、モバイルバッテリの劣化状態の統計量との対応関係を示す管理条件が得られる。充放電回数及び経過時間の間の換算係数を利用して、モバイルバッテリの充放電回数と、モバイルバッテリの劣化状態の統計量との対応関係を示す管理条件から、モバイルバッテリの経過時間と、モバイルバッテリの劣化状態の統計量との対応関係を示す管理条件が得られる。充放電回数と、モバイルバッテリの充放電回数、使用時間及び経過時間の少なくとも１つに基づいて定められる指標との間の換算係数を利用して、モバイルバッテリの充放電回数と、モバイルバッテリの劣化状態の統計量との対応関係を示す管理条件から、モバイルバッテリに関する上記の指標と、モバイルバッテリの劣化状態の統計量との対応関係を示す管理条件が得られる。
【０１０６】
他の実施形態において、管理条件生成部６３０は、管理サーバ２２０が１以上のバッテリステーション２１０から取得した情報を利用して、管理条件を生成する。例えば、管理条件生成部６３０は、管理サーバ２２０が収集した情報を解析して、トータルのモバイルバッテリ２２に関する各種の利用指標と、トータルのモバイルバッテリ２２の劣化状態の統計量との対応関係を算出することで、管理条件を生成する。管理条件生成部６３０は、実験結果に基づいて得られた各種の利用指標及び劣化状態の統計量の対応関係と、管理サーバ２２０が収集した情報を解析して得られた各種の利用指標及び劣化状態の統計量の対応関係とに基づいて、管理条件を生成してもよい。
【０１０７】
さらに他の実施形態において、管理条件生成部６３０は、管理グループ設定部６２０が分類した１以上のグループのそれぞれについて、管理条件を生成する。管理条件生成部６３０は、例えば、下記の手順によりグループごとの管理条件を生成する。まず、管理条件生成部６３０は、例えば、バッテリ管理部５２０にアクセスして、１以上のグループのそれぞれについて、各グループを構成する１以上のモバイルバッテリ２２のそれぞれに関する各種の情報を取得する。次に、管理条件生成部６３０は、バッテリ管理部５２０から取得された情報を解析して、グループごとに、各種の利用指標及び劣化状態の統計量の対応関係を算出する。これにより、グループごとの管理条件が得られる。
【０１０８】
本実施形態において、地域特性管理部６４０は、地域ごとの特性を管理する。例えば、地域特性管理部６４０は、異なる利用指標の換算係数を、地域ごとに算出する。例えば、地域特性管理部６４０は、まず、トータルのモバイルバッテリ２２の貸出履歴、又は、トータルのモバイルバッテリ２２の一部の貸出履歴を解析して、特定の地域における貸出履歴を抽出する。次に、地域特性管理部６４０は、抽出された貸出履歴に基づいて、（ｉ）充放電回数及び使用時間の間の換算係数、（ｉｉ）充放電回数及び経過時間の間の換算係数、及び、（ｉｉｉ）充放電回数と、モバイルバッテリの充放電回数、使用時間及び経過時間の少なくとも１つに基づいて定められる指標との間の換算係数の少なくとも１つを算出する。地域特性管理部６４０により算出された地域ごとの換算係数は、例えば、管理条件生成部６３０が管理条件を生成するときに利用される。
【０１０９】
本実施形態において、判定部６５０は、モバイルバッテリ２２に関する様々な判定を実施する。一実施形態において、判定部６５０は、トータルのモバイルバッテリ２２の少なくとも１つについて、当該モバイルバッテリのトータルの優先順位を判定する。他の実施形態において、判定部６５０は、トータルのモバイルバッテリ２２の少なくとも１つについて、当該モバイルバッテリが不良品であるか否かを判定する。少なくとも１つのモバイルバッテリ２２は、管理グループ設定部６２０により同一のグループに分類された１以上のモバイルバッテリ２２であってもよい。
【０１１０】
本実施形態において、貸出条件決定部６５２は、トータルのモバイルバッテリ２２の少なくとも１つについて、当該モバイルバッテリの貸出条件を決定する。例えば、貸出条件決定部６５２は、トータルのモバイルバッテリ２２の少なくとも１つに関する貸出条件として、当該モバイルバッテリのトータルの優先順位を決定する。貸出条件決定部６５２は、トータルの優先順位が予め定められた条件に合致するモバイルバッテリ２２を、利用不能であると判定してもよい。貸出条件決定部６５２は、例えば、トータルの優先順位が予め定められた閾値よりも小さなモバイルバッテリ２２を、上記の優先順位が当該閾値よりも大きくなるまで利用不能であると判定する。
【０１１１】
貸出条件決定部６５２は、例えば、下記の手順により、トータルの優先順位を決定する。例えば、貸出条件決定部６５２は、まず、管理条件生成部６３０から、少なくとも１つのモバイルバッテリ２２に関する管理条件を取得する。貸出条件決定部６５２は、通信部６１０から、少なくとも１つのモバイルバッテリ２２のそれぞれの現在の利用指標に関する情報を取得してよい。また、貸出条件決定部６５２は、通信部６１０から、少なくとも１つのモバイルバッテリ２２のそれぞれの現在の劣化状態を示す情報を取得してよい。貸出条件決定部６５２は、通信部６１０から、少なくとも１つのモバイルバッテリ２２のそれぞれの貸出履歴及び充放電履歴の少なくとも一方を取得してもよい。
【０１１２】
次に、貸出条件決定部６５２は、少なくとも１つのモバイルバッテリ２２のそれぞれについて、（ｉ）利用指標及び劣化状態の対応関係を示す管理条件と、（ｉｉ）現在の利用指標と、（ｉｉｉ）現在の劣化状態とに基づいて、トータルの優先順位を判定する。一実施形態によれば、貸出条件決定部６５２は、少なくとも１つのモバイルバッテリ２２のそれぞれについて、まず、現在の利用指標と、管理条件とに基づいて、劣化状態の管理の目標となる値又は範囲（管理目標と称する場合がある。）を決定する。次に、貸出条件決定部６５２は、劣化状態の管理目標及び現在の劣化状態の差が小さくなるように、トータルの優先順位を決定する。
【０１１３】
他の実施形態によれば、貸出条件決定部６５２は、少なくとも１つのモバイルバッテリ２２のそれぞれについて、まず、現在の利用指標と、管理条件とに基づいて、劣化状態の管理目標を決定する。次に、貸出条件決定部６５２は、（ｉ）劣化状態の管理目標及び現在の劣化状態の差と、（ｉｉ）貸出履歴及び充放電履歴の少なくとも一方とに基づいて、トータルの優先順位を決定する。
【０１１４】
より具体的には、貸出条件決定部６５２は、少なくとも１つのモバイルバッテリ２２のそれぞれについて、劣化状態の管理目標及び現在の劣化状態の差に基づいて、現在の劣化状態及び劣化状態の管理目標を比較して、劣化の進行が管理目標よりも速いか遅いかを判定する。また、貸出条件決定部６５２は、少なくとも１つのモバイルバッテリ２２のそれぞれについて、貸出履歴及び充放電履歴の少なくとも一方が予め定められた条件に合致するか否かを判定する。貸出条件決定部６５２は、（ｉ）劣化の進行が管理目標よりも速いか遅いかに関する判定結果と、（ｉｉ）貸出履歴及び充放電履歴の少なくとも一方が予め定められた条件に合致するか否かに関する判定結果とに基づいて、トータルの優先順位を決定する。
【０１１５】
一実施形態によれば、貸出条件決定部６５２は、劣化の進行が管理目標よりも速く、且つ、貸出履歴及び充放電履歴の少なくとも一方が予め定められた条件に合致するモバイルバッテリ２２の優先順位が、他のモバイルバッテリ２２の優先順位よりも大きくなるように、トータルの優先順位を決定する。貸出条件決定部６５２は、劣化の進行が管理目標よりも遅く、且つ、貸出履歴及び充放電履歴の少なくとも一方が予め定められた条件に合致するモバイルバッテリ２２の優先順位が、他のモバイルバッテリ２２の優先順位よりも小さくなるように、トータルの優先順位を決定してもよい。
【０１１６】
例えば、特定のモバイルバッテリ２２の劣化の進行が管理目標よりも速い場合、貸出条件決定部６５２は、当該モバイルバッテリの貸出履歴及び充放電履歴を解析して、ＳＯＣが予め定められた閾値よりも高い状態でバッテリステーション２１０に格納されていた時間の累積値を算出する。一般的に、ＳＯＣの高い状態が長時間持続すると、バッテリの劣化が促進される。そこで、貸出条件決定部６５２は、上記の累積値が予め定められた閾値よりも大きい場合、上記のモバイルバッテリ２２のトータルの優先順位を、他のモバイルバッテリ２２よりも大きくすることを決定する。これにより、上記のモバイルバッテリ２２の利用が促進され、ＳＯＣの高い状態が長時間持続することを防止することができる。その結果、時間が経過して貸出回数が増加するとともに、上記のモバイルバッテリ２２の劣化状態の管理目標及び現在の劣化状態の差が徐々に小さくなる。
【０１１７】
他の実施形態によれば、貸出条件決定部６５２は、劣化の進行が管理目標よりも速く、且つ、貸出履歴及び充放電履歴の少なくとも一方が予め定められた条件に合致するモバイルバッテリ２２の優先順位が、他のモバイルバッテリ２２の優先順位よりも小さくなるように、トータルの優先順位を決定する。貸出条件決定部６５２は、劣化の進行が管理目標よりも遅く、且つ、貸出履歴及び充放電履歴の少なくとも一方が予め定められた条件に合致するモバイルバッテリ２２の優先順位が、他のモバイルバッテリ２２の優先順位よりも大きくなるように、トータルの優先順位を決定してもよい。
【０１１８】
例えば、特定のモバイルバッテリ２２の劣化の進行が管理目標よりも速い場合、貸出条件決定部６５２は、上記のモバイルバッテリ２２のトータルの優先順位を、他のモバイルバッテリ２２よりも小さくすることを決定する。これにより、しばらくの間、上記のモバイルバッテリ２２の貸し出しが抑制され、時間が経過して貸出回数が増加するとともに、上記のモバイルバッテリ２２の劣化状態の管理目標及び現在の劣化状態の差が徐々に小さくなる。
【０１１９】
このとき、貸出条件決定部６５２は、上記のモバイルバッテリ２２の貸出履歴及び充放電履歴を解析して、ＳＯＣが予め定められた閾値よりも高い状態でバッテリステーション２１０に格納されていた時間の累積値を算出してもよい。そして、上記の累積値が大きなモバイルバッテリ２２ほど、優先順位が大きくなるように、トータルの優先順位を決定してよい。これにより、上記のモバイルバッテリ２２の利用が促進され、ＳＯＣの高い状態が長時間持続することを防止することができる。その結果、時間が経過して貸出回数が増加するとともに、上記のモバイルバッテリ２２の劣化状態の管理目標及び現在の劣化状態の差が徐々に小さくなる。
【０１２０】
本実施形態において、不良品検出部６５４は、不良品のモバイルバッテリ２２を検出する。不良品検出部６５４は、例えば、１以上のモバイルバッテリ２２の少なくとも１つについて、当該モバイルバッテリが不良品であるか否かを判定する。不良品検出部６５４は、例えば、下記の手順により、不良品を検出する。まず、不良品検出部６５４は、管理条件生成部６３０から、トータルのモバイルバッテリ２２の少なくとも１つに関する管理条件を取得する。不良品検出部６５４は、通信部６１０から、少なくとも１つのモバイルバッテリ２２のそれぞれの現在の利用指標に関する情報を取得する。不良品検出部６５４は、通信部６１０から、少なくとも１つのモバイルバッテリ２２のそれぞれの現在の劣化状態を示す情報を取得する。
【０１２１】
次に、不良品検出部６５４は、少なくとも１つのモバイルバッテリ２２のそれぞれについて、（ｉ）利用指標及び劣化状態の対応関係を示す管理条件と、（ｉｉ）現在の利用指標と、（ｉｉｉ）現在の劣化状態とに基づいて、当該モバイルバッテリが不良品であるか否かを判定する。一実施形態によれば、不良品検出部６５４は、現在の劣化状態が管理目標から乖離する速度が予め定められた条件に合致するモバイルバッテリ２２を、不良品と判定する。他の実施形態によれば、不良品検出部６５４は、劣化状態の変化速度に基づいて、モバイルバッテリの良否を判定してよい。例えば、不良品検出部６５４は、現在の劣化状態が、直近の劣化状態に対して急激に変化したモバイルバッテリ２２を、不良品と判定する。
【０１２２】
図７、図８及び図９を用いて、バッテリ管理システム２００による管理方法の一例について説明する。図７は、管理条件の一例を概略的に示す。図７には、時間Ｔ１において市場に導入されたモバイルバッテリ２２の管理条件７１０と、時間Ｔ２において市場に導入されたモバイルバッテリ２２の管理条件７２０と、時間Ｔ３において市場に導入されたモバイルバッテリ２２の管理条件７３０とを示す。
【０１２３】
例えば、管理条件７１０は、トータルのモバイルバッテリ２２の劣化状態の統計量に基づいて算出される。統計量は、例えば平均である。そのため、本実施形態において、個々のモバイルバッテリ２２の劣化状態は、管理条件７１０を中心とした分布７１２を有する。また、時間が経過するにつれて、分布７１２が大きくなる。しかしながら、バッテリ管理システム２００によれば、例えば、時間の経過に伴う分布７１２の増加を抑制することができる。
【０１２４】
図８は、貸出条件決定部６５２による優先順位の決定方法の一例を概略的に示す。図８は、モバイルバッテリ８０２及びモバイルバッテリ８０４の管理条件８００、モバイルバッテリ８０２の劣化曲線、並びに、モバイルバッテリ８０４の劣化曲線の一例を概略的に示す。図８の実施形態によれば、利用指標Ｔ１１において、モバイルバッテリ８０２は、管理目標と比較して劣化の進行が遅れている。一方、モバイルバッテリ８０４は、管理目標と比較して劣化の進行が進んでいる。そこで、貸出条件決定部６５２は、利用指標が進行するにつれて（例えば、経過時間が大きくなるにつれて）、モバイルバッテリ８０２の劣化曲線及びモバイルバッテリ８０４の劣化曲線が、管理条件８００に近づくように、モバイルバッテリ８０２及びモバイルバッテリ８０４のトータルの優先順位を決定する。
【０１２５】
図９は、バッテリ管理システム２００による管理方法を実施した場合における、モバイルバッテリ２２の回収作業の一例を概略的に示す。図９において、ブロック９１２は、次年度も利用できるモバイルバッテリ２２を示し、ブロック９１４は、故障、損壊、劣化などにより利用できなくなったモバイルバッテリ２２を示す。図９の例では、バッテリ管理システム２００は、市場に導入されて４年が経過した段階で、市場から回収するように、管理対象となるモバイルバッテリ２２の優先順位を調整する。
【０１２６】
図９に示されるとおり、本実施形態においては、モバイルバッテリ２２を市場に導入してから１年が経過した時点では、初期不良、電気回路の故障、ユーザの不注意による損壊などにより、一部のモバイルバッテリ２２が利用できなくなる。そこで、１年が経過した時点で、モバイルバッテリ２２を補充する。図９において、補充されたモバイルバッテリ２２を、導入時期が「２年目」のブロックで示す。同様にして、２年目及び３年目が経過する。そして、４年目が経過した時点で、１年目に導入したモバイルバッテリ２２を全て市場から回収する。本実施形態によれば、管理対象となるモバイルバッテリ２２の劣化状態のばらつきを管理することができるので、例えば、同時期に導入したモバイルバッテリ２２を同時期に回収することができる。
【０１２７】
図１０は、データテーブル１０００の一例を概略的に示す。データテーブル１１００は、例えば、バッテリ情報格納部５４２に格納されるバッテリ情報の一例であってよい。データテーブル１０００は、１以上のモバイルバッテリ２２の貸出履歴を示す情報の一例であってよい。
【０１２８】
本実施形態において、データテーブル１０００は、例えば、モバイルバッテリ２２のバッテリＩＤ１０１０と、モバイルバッテリ２２を利用するユーザのユーザＩＤ１０２０と、モバイルバッテリ２２の貸出状況１０３０と、モバイルバッテリ２２の返却状況１０４０と、モバイルバッテリ２２の返却後の充放電履歴１０５０とを対応付けて格納する。貸出状況１０３０は、例えば、貸出日時１０３２と、貸出時のＳＯＣ１０３４と、貸出場所となるバッテリステーション２１０のステーションＩＤ１０３６とに関する情報を含む。返却状況１０４０は、返却日時１０４２と、返却時のＳＯＣ１０４４と、返却場所となるバッテリステーション２１０のステーションＩＤ１０４６とに関する情報を含む。
【０１２９】
図１１は、データテーブル１１００の一例を概略的に示す。データテーブル１１００は、例えば、バッテリ情報格納部５４２に格納されるバッテリ情報の一例であってよい。データテーブル１１００は、１以上のモバイルバッテリ２２の充放電履歴を示す情報の一例であってよい。本実施形態において、データテーブル１１００は、例えば、バッテリＩＤ１１１０と、劣化状態１１２０と、充電速度１１３０と、現在のＳＯＣ１１４０と、貸出状況１１５０と、運用状況１１６０と、格納場所１１７０とを対応付けて格納する。
【０１３０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。その様な変更または改良を加えた形態も本発明の技術的範囲に含まれ得ることが、特許請求の範囲の記載から明らかである。
【０１３１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１３２】
１０  通信ネットワーク、２２  モバイルバッテリ、３４  発電装置、３６  電力系統、３８  電気機器、１００  管理装置、１１０  目標情報取得部、１２０  利用情報取得部、１３０  消耗情報取得部、１４０  決定部、２００  バッテリ管理システム、２１０  バッテリステーション、２２０  管理サーバ、２３０  ユーザ端末、３１２  電力量計、３１４  分電盤、３２０  制御回路、３３０  バッテリ格納部、３３２  コネクタ、３４０  センス部、３５０  制御部、３５２  通信制御部、３５４  充放電制御部、３５６  貸出管理部、４１０  状態監視部、４２０  貸出履歴管理部、４３０  充放電履歴管理部、４４０  管理目標取得部、４５０  優先順位決定部、４６０  貸出対象決定部、５１０  状態監視部、５２０  バッテリ管理部、５３０  予約管理部、５４０  格納部、５４２  バッテリ情報格納部、５４４  ステーション情報格納部、６１０  通信部、６２０  管理グループ設定部、６３０  管理条件生成部、６４０  地域特性管理部、６５０  判定部、６５２  貸出条件決定部、６５４  不良品検出部、７１０  管理条件、７１２  分布、７２０  管理条件、７３０  管理条件、８００  管理条件、８０２  モバイルバッテリ、８０４  モバイルバッテリ、９１２  ブロック、９１４  ブロック、１０００  データテーブル、１０１０  バッテリＩＤ、１０２０  ユーザＩＤ、１０３０  貸出状況、１０３２  貸出日時、１０３４  ＳＯＣ、１０３６  ステーションＩＤ、１０４０  返却状況、１０４２  返却日時、１０４４  ＳＯＣ、１０４６  ステーションＩＤ、１０５０  充放電履歴、１１００  データテーブル、１１１０  バッテリＩＤ、１１２０  劣化状態、１１３０  充電速度、１１４０  ＳＯＣ、１１５０  貸出状況、１１６０  運用状況、１１７０  格納場所
【図１】
2018160074.tif 000003
【図２】
2018160074.tif 000004
【図３】
2018160074.tif 000005
【図４】
2018160074.tif 000006
【図５】
2018160074.tif 000007
【図６】
2018160074.tif 000008
【図７】
2018160074.tif 000009
【図８】
2018160074.tif 000010
【図９】
2018160074.tif 000011
【図１０】
2018160074.tif 000012
【図１１】
2018160074.tif 000013
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
複数の消耗品の利用を管理する管理装置であって、
前記複数の消耗品の消耗具合に関する目標条件を示す目標情報を取得する目標情報取得部と、
前記複数の消耗品のそれぞれについて、当該消耗品の利用が開始されてからの利用具合を示す利用情報を取得する利用情報取得部と、
前記複数の消耗品のそれぞれについて、当該消耗品の消耗具合を示す消耗情報を取得する消耗情報取得部と、
前記複数の消耗品のそれぞれについて、（ｉ）前記目標情報取得部が取得した前記目標情報により示される目標条件と、（ｉｉ）前記利用情報取得部が取得した前記利用情報により示される各消耗品の利用具合と、（ｉｉｉ）前記消耗情報取得部が取得した前記消耗情報により示される各消耗品の消耗具合とに基づいて、各消耗品の（ｉ）利用の可否及び（ｉｉ）利用に関する優先具合の少なくとも一方を決定する決定部と、
を備え、
前記目標条件は、前記利用具合に関する条件を含む、
管理装置。
【請求項２】
前記目標条件は、特定の消耗品の利用具合と、当該特定の消耗品の消耗具合の目標となる値又範囲との対応関係を表し、
前記決定部は、
前記複数の消耗品のそれぞれについて、
前記利用情報により示される各消耗品の利用具合、及び、前記目標情報により示される目標条件に基づいて、各消耗品の消耗具合の前記目標を決定し、
前記決定された目標、及び、前記消耗情報により示される各消耗品の消耗具合の差が小さくなるように、各消耗品の（ｉ）利用の可否及び（ｉｉ）利用に関する優先具合の少なくとも一方を決定する、
請求項１に記載の管理装置。
【請求項３】
前記利用具合は、（ｉ）特定の消耗品の利用が開始されてからの当該消耗品に対する補給又は再生の回数、（ｉｉ）特定の消耗品の利用が開始されてから、当該消耗品がユーザに利用された利用時間、及び、（ｉｉｉ）特定の消耗品の利用が開始された時点からの経過時間の少なくとも１つ、又は、前記回数、前記利用時間及び前記経過時間の少なくとも１つに基づいて定められる指標である、
請求項２に記載の管理装置。
【請求項４】
前記複数の消耗品のそれぞれについて、当該消耗品の利用が開始されてからの利用履歴を示す履歴情報を取得する履歴情報取得部をさらに備え、
前記決定部は、
前記複数の消耗品のそれぞれについて、
（ｉ）前記決定された目標、及び、前記消耗情報により示される各消耗品の消耗具合の差と、（ｉｉ）前記履歴情報取得部が取得した前記履歴情報により示される各消耗品の利用履歴とに基づいて、各消耗品の（ｉ）利用の可否及び（ｉｉ）利用に関する優先具合の少なくとも一方を決定する、
請求項２又は請求項３に記載の管理装置。
【請求項５】
前記複数の消耗品のそれぞれは蓄電池であり、
前記履歴情報は、充電状態の履歴を示す情報である、
請求項４に記載の管理装置。
【請求項６】
前記決定部は、
（ｉ）前記消耗情報により示される消耗具合が、前記決定された目標と比較して劣化の進行が速いことを示し、且つ、（ｉｉ）前記充電状態の履歴が予め定められた条件に合致する消耗品の優先具合が、他の消耗品の優先具合よりも大きくなるように、各消耗品の（ｉ）利用の可否及び（ｉｉ）利用に関する優先具合の少なくとも一方を決定する、
請求項５に記載の管理装置。
【請求項７】
前記決定部は、
（ｉ）前記消耗情報により示される消耗具合が、前記決定された目標と比較して劣化の進行が遅いことを示し、且つ、（ｉｉ）前記充電状態の履歴が予め定められた条件に合致する消耗品の優先具合が、他の消耗品の優先具合よりも小さくなるように、各消耗品の（ｉ）利用の可否及び（ｉｉ）利用に関する優先具合の少なくとも一方を決定する、
請求項５又は請求項６に記載の管理装置。
【請求項８】
前記決定部は、
（ｉ）前記消耗情報により示される消耗具合が、前記決定された目標と比較して劣化の進行が速いことを示し、且つ、（ｉｉ）前記充電状態の履歴が予め定められた条件に合致する消耗品の優先具合が、他の消耗品の優先具合よりも小さくなるように、各消耗品の（ｉ）利用の可否及び（ｉｉ）利用に関する優先具合の少なくとも一方を決定する、
請求項５に記載の管理装置。
【請求項９】
前記決定部は、
（ｉ）前記消耗情報により示される消耗具合が、前記決定された目標と比較して劣化の進行が遅いことを示し、且つ、（ｉｉ）前記充電状態の履歴が予め定められた条件に合致する消耗品の優先具合が、他の消耗品の優先具合よりも大きくなるように、各消耗品の（ｉ）利用の可否及び（ｉｉ）利用に関する優先具合の少なくとも一方を決定する、
請求項５又は請求項６に記載の管理装置。
【請求項１０】
前記決定部は、
前記複数の消耗品のそれぞれについて、（ｉ）前記目標情報取得部が取得した前記目標情報により示される目標条件と、（ｉｉ）前記利用情報取得部が取得した前記利用情報により示される各消耗品の利用具合と、（ｉｉｉ）前記消耗情報取得部が取得した前記消耗情報により示される各消耗品の消耗具合とに基づいて、各消耗品が不良品であるか否かを判定し、
不良品であると判定された消耗品を、利用不能であると決定する、
請求項１から請求項９までの何れか一項に記載の管理装置。
【請求項１１】
前記決定部は、
前記複数の消耗品のそれぞれについて、（ｉ）前記目標情報取得部が取得した前記目標情報により示される目標条件と、（ｉｉ）前記利用情報取得部が取得した前記利用情報により示される各消耗品の利用具合と、（ｉｉｉ）前記消耗情報取得部が取得した前記消耗情報により示される各消耗品の消耗具合とに基づいて、各消耗品の利用に関する優先具合を決定し、
当該優先具合が予め定められた条件に合致する消耗品を、利用不能であると決定する、
請求項１から請求項１０までの何れか一項に記載の管理装置。
【請求項１２】
前記目標情報取得部は、利用具合複数の目標条件の中から、前記利用情報により示される各消耗品の利用具合に合致する目標条件を示す目標情報を取得する、
請求項１から請求項１１までの何れか一項に記載の管理装置。
【請求項１３】
前記複数の消耗品のそれぞれを各消耗品の利用具合に応じて分類して得られた１以上のグループのそれぞれについて、各グループを構成する各消耗品の消耗具合の統計量に基づいて、各グループの目標条件を生成する、
目標条件生成部をさらに備える、
請求項１から請求項１２までの何れか一項に記載の管理装置。
【請求項１４】
前記決定部が決定した、前記複数の消耗品の（ｉ）利用の可否及び（ｉｉ）優先具合の少なくとも一方に基づいて、前記複数の消耗品のうち、優先して利用されるべき１以上の消耗品を抽出する抽出部をさらに備える、
請求項１から請求項１３までの何れか一項に記載の管理装置。
【請求項１５】
コンピュータを、請求項１から請求項１４までの何れか一項に記載の管理装置として機能させるための、プログラム。
【請求項１６】
コンピュータを利用して、複数の消耗品の利用を管理する管理方法であって、
前記コンピュータが、前記複数の消耗品の消耗具合に関する目標条件を示す目標情報を取得する目標情報取得段階と、
前記コンピュータが、前記複数の消耗品のそれぞれについて、当該消耗品の利用が開始されてからの利用具合を示す利用情報を取得する利用情報取得段階と、
前記コンピュータが、前記複数の消耗品のそれぞれについて、当該消耗品の消耗具合を示す消耗情報を取得する消耗情報取得段階と、
前記コンピュータが、前記複数の消耗品のそれぞれについて、（ｉ）前記目標情報取得段階において取得された前記目標情報により示される目標条件と、（ｉｉ）前記利用情報取得段階において取得された前記利用情報により示される各消耗品の利用具合と、（ｉｉｉ）前記消耗情報取得段階において取得された前記消耗情報により示される各消耗品の消耗具合とに基づいて、各消耗品の（ｉ）利用の可否及び（ｉｉ）利用に関する優先具合の少なくとも一方を決定する決定段階と、
を有し、
前記目標条件は、前記利用具合に関する条件を含む、
管理方法。
【請求項１７】
コンピュータを利用して、複数の消耗品の再利用品又は中古品を生産するための生産方法であって、
前記コンピュータが、前記複数の消耗品の消耗具合に関する目標条件を示す目標情報を取得する目標情報取得段階と、
前記コンピュータが、前記複数の消耗品のそれぞれについて、当該消耗品の利用が開始されてからの利用具合を示す利用情報を取得する利用情報取得段階と、
前記コンピュータが、前記複数の消耗品のそれぞれについて、当該消耗品の消耗具合を示す消耗情報を取得する消耗情報取得段階と、
前記コンピュータが、前記複数の消耗品のそれぞれについて、（ｉ）前記目標情報取得段階において取得された前記目標情報により示される目標条件と、（ｉｉ）前記利用情報取得段階において取得された前記利用情報により示される各消耗品の利用具合と、（ｉｉｉ）前記消耗情報取得段階において取得された前記消耗情報により示される各消耗品の消耗具合とに基づいて、各消耗品の（ｉ）利用の可否及び（ｉｉ）利用に関する優先具合の少なくとも一方を決定する決定段階と、
前記コンピュータが、前記決定段階において決定された、各消耗品の（ｉ）利用の可否及び（ｉｉ）優先具合の少なくとも一方に基づいて、前記複数の消耗品のうち、優先して利用されるべき１以上の消耗品を抽出する抽出段階と、
を有し、
前記目標条件は、前記利用具合に関する条件を含む、
を有する、生産方法。